(57)【要約】【課題】１回の押圧操作で、多階層の選択肢の中から所望の項目を選択する場合に、項目の選択を完了するまでに要する時間を短くすることができる情報処理装置および撮像装置を提供する。【解決手段】操作者が押下している位置と圧力とを検出した押下位置情報と押圧力情報とを出力する入力部と、押圧力情報と押下位置情報の両方または押下位置情報のみに基づいて、操作者が入力部を押下している状態から押下位置を移動させた方向を押下操作の移動方向情報として算出する制御部と、操作者が制御部に対し、当該情報処理装置の設定や動作の変更を、入力部を押下する圧力の調整と押下位置を移動する操作により指示する際に、操作者の操作を補助するガイド情報を表示する表示部と、押圧力情報とガイド情報とを対応付け、さらに押圧力情報および移動方向情報と当該情報処理装置の設定や動作とを対応付けた指示解釈用情報を、少なくとも記録する記録部と、を備える。【選択図】図６
2013120421.tif 000002
【特許請求の範囲】
【請求項１】
ファイルを操作する情報処理装置であって、
操作者が押下している位置と押下している圧力とを検出し、押下している位置を表す押下位置情報と、押下している圧力を表す押圧力情報とを出力する入力部と、
前記押圧力情報と前記押下位置情報の両方または前記押下位置情報のみに基づいて、前記操作者が前記入力部を押下している状態から押下位置を移動させた方向を、押下操作の移動方向情報として算出する制御部と、
前記操作者が、前記制御部に対し、当該情報処理装置の設定や動作の変更を、前記入力部を押下する圧力の調整と押下位置を移動する操作により指示する際に、前記操作者の操作を補助するガイド情報を表示する表示部と、
前記押圧力情報と前記表示部に表示する前記ガイド情報とを対応付け、さらに、前記押圧力情報および前記移動方向情報と当該情報処理装置の設定や動作とを対応付けた指示解釈用情報を、少なくとも記録する記録部と、
を備え、
前記制御部は、
前記指示解釈用情報を参照し、
前記押圧力情報に応じた前記ガイド情報を、前記表示部に表示する前記ガイド情報として指定するガイド表示パラメータの値を導出し、対応する当該情報処理装置の構成要素内のパラメータの値を、該導出したガイド表示パラメータの値に変更することによって、前記表示部に、前記操作者が前記入力部を押下している圧力に応じた前記ガイド情報を表示させ、
当該情報処理装置の設定や動作を、前記押圧力情報および前記移動方向情報に応じた内容に定める各構成要素のパラメータの値を導出し、対応する各構成要素のパラメータの値を、該導出したパラメータの値に変更することによって、当該情報処理装置の設定や動作に、前記操作者の操作による変更指示の内容を反映させる、
ことを特徴とする情報処理装置。
【請求項２】
前記入力部は、
タッチパネルを備える、
ことを特徴とする請求項１に記載の情報処理装置。
【請求項３】
前記入力部は、
タッチパッドを備える、
ことを特徴とする請求項１に記載の情報処理装置。
【請求項４】
前記制御部は、
前記操作者が前記入力部を押下している状態から１方向に弾く操作を行い、該弾く操作が完了したときに押下している状態が解除される一連の操作における、前記押下位置情報の軌跡と、対応する前記押圧力情報の軌跡とに基づいて、該一連の操作の開始位置、終了位置、および前記移動方向情報を算出する、
ことを特徴とする請求項１に記載の情報処理装置。
【請求項５】
前記制御部は、
前記操作者が前記入力部を押下している状態から１方向に弾く操作を行い、該弾く操作が完了したときに押下している状態が解除される一連の操作における、前記押下位置情報の変化量に基づいて、該一連の操作の開始位置および終了位置を算出する、
ことを特徴とする請求項１に記載の情報処理装置。
【請求項６】
前記制御部は、
前記操作者が前記入力部を押下している状態から１方向に弾く操作を行い、該弾く操作が完了したときに押下している状態が解除される一連の操作において、該１方向に弾く操作の開始時に前記入力部が押下されている位置を表す押下位置情報と、前記入力部の押下が解除される直前の位置を表す押下位置情報とに基づいて、前記押下操作の移動方向を算出する、
ことを特徴とする請求項１に記載の情報処理装置。
【請求項７】
前記ファイルは、
画像ファイルである、
ことを特徴とする請求項１に記載の情報処理装置。
【請求項８】
前記表示部は、
前記ガイド情報を前記画像ファイルに重畳して表示する、
ことを特徴とする請求項７に記載の情報処理装置。
【請求項９】
前記制御部は、
前記操作者の操作による前記変更指示の内容に応じて、
前記表示部に表示する前記画像ファイルを変更するための再生画像パラメータを導出する、
ことを特徴とする請求項８に記載の情報処理装置。
【請求項１０】
前記画像ファイルが、静止画の画像データである場合、
前記再生画像パラメータは、
前記表示部に表示する前記画像データを指定するパラメータであり、
前記画像ファイルが、動画の画像データである場合、
前記再生画像パラメータは、
前記表示部に表示する前記画像データ内の特定のフレームを指定するパラメータである、
ことを特徴とする請求項９に記載の情報処理装置。
【請求項１１】
前記制御部は、
前記再生画像パラメータの値を、
前記画像データに含まれる管理情報に基づいて導出する、
ことを特徴とする請求項１０に記載の情報処理装置。
【請求項１２】
前記管理情報は、
前記画像データを撮影した順番を表すファイル番号である、
ことを特徴とする請求項１１に記載の情報処理装置。
【請求項１３】
前記管理情報は、
前記画像データを撮影した日付と時刻とを表す情報である、
ことを特徴とする請求項１１に記載の情報処理装置。
【請求項１４】
前記管理情報は、
前記画像データを撮影した記録時間を表す情報である、
ことを特徴とする請求項１１に記載の情報処理装置。
【請求項１５】
前記管理情報は、
前記画像データに含まれる被写体の認識情報を表す情報である、
ことを特徴とする請求項１１に記載の情報処理装置。
【請求項１６】
画像ファイルの撮影と表示とを操作する撮像装置であって、
予め設定された撮像処理パラメータに基づいて被写体を撮影し、撮影した被写体に応じた被写体信号を出力する撮像部と、
予め設定された画像処理パラメータに基づいて、前記被写体信号に対して画像処理を行った画像ファイルを出力する画像処理部と、
操作者が押下している位置と押下している圧力とを検出し、押下している位置を表す押下位置情報と、押下している圧力を表す押圧力情報とを出力する入力部と、
前記押圧力情報と前記押下位置情報の両方または前記押下位置情報のみに基づいて、前記操作者が前記入力部を押下している状態から押下位置を移動させた方向を、押下操作の移動方向情報として算出する制御部と、
前記操作者が、前記制御部に対し、当該撮像装置の設定や動作の変更を、前記入力部を押下する圧力の調整と押下位置を移動する操作により指示する際に、前記操作者の操作を補助するガイド情報を表示する表示部と、
前記押圧力情報と前記表示部に表示する前記ガイド情報とを対応付け、さらに、前記押圧力情報および前記移動方向情報と当該撮像装置の設定や動作とを対応付けた指示解釈用情報を、少なくとも記録する記録部と、
を備え、
前記制御部は、
前記指示解釈用情報を参照し、
前記押圧力情報に応じた前記ガイド情報を、前記表示部に表示する前記ガイド情報として指定するガイド表示パラメータの値を導出し、対応する当該撮像装置の構成要素内のパラメータの値を、該導出したガイド表示パラメータの値に変更することによって、前記表示部に、前記操作者が前記入力部を押下している圧力に応じた前記ガイド情報を表示させ、
当該撮像装置の設定や動作を、前記押圧力情報および前記移動方向情報に応じた内容に定める各構成要素のパラメータの値を導出し、対応する各構成要素のパラメータの値を、該導出したパラメータの値に変更することによって、当該撮像装置の設定や動作に、前記操作者の操作による変更指示の内容を反映させる、
ことを特徴とする撮像装置。
【請求項１７】
前記入力部は、
タッチパネルを備える、
ことを特徴とする請求項１６に記載の撮像装置。
【請求項１８】
前記入力部は、
タッチパッドを備える、
ことを特徴とする請求項１６に記載の撮像装置。
【請求項１９】
前記制御部は、
前記操作者が前記入力部を押下している状態から１方向に弾く操作を行い、該弾く操作が完了したときに押下している状態が解除される一連の操作における、前記押下位置情報の軌跡と、対応する前記押圧力情報の軌跡とに基づいて、該一連の操作の開始位置、終了位置、および前記移動方向情報を算出する、
ことを特徴とする請求項１６に記載の撮像装置。
【請求項２０】
前記制御部は、
前記操作者が前記入力部を押下している状態から１方向に弾く操作を行い、該弾く操作が完了したときに押下している状態が解除される一連の操作における、前記押下位置情報の変化量に基づいて、該一連の操作の開始位置および終了位置を算出する、
ことを特徴とする請求項１６に記載の撮像装置。
【請求項２１】
前記制御部は、
前記操作者が前記入力部を押下している状態から１方向に弾く操作を行い、該弾く操作が完了したときに押下している状態が解除される一連の操作において、該１方向に弾く操作の開始時に前記入力部が押下されている位置を表す押下位置情報と、前記入力部の押下が解除される直前の位置を表す押下位置情報とに基づいて、前記押下操作の移動方向を算出する、
ことを特徴とする請求項１６に記載の撮像装置。
【請求項２２】
前記表示部は、
前記ガイド情報を前記画像ファイルに重畳して表示する、
ことを特徴とする請求項１６に記載の撮像装置。
【請求項２３】
前記制御部は、
前記操作者の操作による前記変更指示の内容に応じて、
前記表示部に表示する前記画像ファイルを変更するための再生画像パラメータを導出する、
ことを特徴とする請求項２２に記載の撮像装置。
【請求項２４】
前記画像ファイルが、静止画の画像データである場合、
前記再生画像パラメータは、
前記表示部に表示する前記画像データを指定するパラメータであり、
前記画像ファイルが、動画の画像データである場合、
前記再生画像パラメータは、
前記表示部に表示する前記画像データ内の特定のフレームを指定するパラメータである、
ことを特徴とする請求項２３に記載の撮像装置。
【請求項２５】
前記制御部は、
前記再生画像パラメータの値を、
前記画像データに含まれる管理情報に基づいて導出する、
ことを特徴とする請求項２４に記載の撮像装置。
【請求項２６】
前記管理情報は、
前記画像データを撮影した順番を表すファイル番号である、
ことを特徴とする請求項２５に記載の撮像装置。
【請求項２７】
前記管理情報は、
前記画像データを撮影した日付と時刻とを表す情報である、
ことを特徴とする請求項２５に記載の撮像装置。
【請求項２８】
前記管理情報は、
前記画像データを撮影した記録時間を表す情報である、
ことを特徴とする請求項２５に記載の撮像装置。
【請求項２９】
前記制御部は、
前記操作者の操作による前記変更指示の内容に応じて、
前記撮像部による撮影動作を設定する前記撮像処理パラメータ、および前記画像処理部による画像処理動作を設定する前記画像処理パラメータを導出する、
ことを特徴とする請求項１６に記載の撮像装置。
【請求項３０】
前記制御部は、
前記撮像処理パラメータの値として、前記撮像部が撮影する際のＩＳＯ感度を設定する前記パラメータの値を導出する、
ことを特徴とする請求項２９に記載の撮像装置。
【請求項３１】
前記制御部は、
前記撮像処理パラメータの値として、前記撮像部が撮影する際のＦ値を設定する前記パラメータの値を導出する、
ことを特徴とする請求項２９に記載の撮像装置。
【請求項３２】
前記制御部は、
前記撮像処理パラメータの値として、前記撮像部が撮影する際の露光補正を設定する前記パラメータの値を導出する、
ことを特徴とする請求項２９に記載の撮像装置。
【請求項３３】
前記制御部は、
前記画像処理パラメータの値として、前記画像処理部が画像処理する際のホワイトバランスを設定する前記パラメータの値を導出する、
ことを特徴とする請求項２９に記載の撮像装置。
【請求項３４】
前記制御部は、
前記画像処理パラメータの値として、前記画像処理部が画像処理する際のシャープネスを設定する前記パラメータの値を導出する、
ことを特徴とする請求項２９に記載の撮像装置。
【請求項３５】
前記制御部は、
前記画像処理パラメータの値として、前記画像処理部が画像処理する際の画像の加工方法を設定する前記パラメータの値を導出する、
ことを特徴とする請求項２９に記載の撮像装置。
【請求項３６】
前記制御部は、
前記画像処理パラメータの値として、前記画像処理部が画像処理する際のノイズ低減度を設定する前記パラメータの値を導出する、
ことを特徴とする請求項２９に記載の撮像装置。
【請求項３７】
前記制御部は、
前記画像処理パラメータの値として、前記画像処理部が画像処理する際の画像精鋭度を設定する前記パラメータの値を導出する、
ことを特徴とする請求項２９に記載の撮像装置。
【請求項３８】
前記制御部は、
前記画像処理パラメータの値として、前記画像処理部が画像処理する際のコントラスト強度を設定する前記パラメータの値を導出する、
ことを特徴とする請求項２９に記載の撮像装置。
【請求項３９】
前記画像ファイルに含まれる被写体を検出し、該検出した被写体の認識情報を、該画像ファイルに含まれる管理情報に付加する被写体認識部、
をさらに備える、
ことを特徴とする請求項１６に記載の撮像装置。
【請求項４０】
前記制御部は、
前記パラメータの値を、前記画像ファイルの前記管理情報に含まれる被写体の認識情報に基づいて導出する、
ことを特徴とする請求項３９に記載の撮像装置。
【請求項４１】
前記制御部は、
前記パラメータの値として、前記被写体認識部が検出する被写体を設定するパラメータの値を導出する、
ことを特徴とする請求項３９に記載の撮像装置。
【請求項４２】
前記被写体認識部が被写体を検出する被写体は、
前記画像ファイルに含まれる人物である、
ことを特徴とする請求項４１に記載の撮像装置。
【請求項４３】
前記被写体認識部が被写体を検出する被写体は、
前記画像ファイルに含まれる人物の顔である、
ことを特徴とする請求項４１に記載の撮像装置。
【請求項４４】
前記被写体認識部が被写体を検出する被写体は、
前記画像ファイルに含まれる動物である、
ことを特徴とする請求項４１に記載の撮像装置。
【発明の詳細な説明】
【技術分野】
【０００１】
本発明は、情報処理装置および撮像装置に関する。
【背景技術】
【０００２】
従来から、ユーザーが入力部をタッチ（押下、スライド等）することによって、様々な操作を行うことができる情報処理装置や撮像装置が実用化されている。このような情報処理装置や撮像装置は、例えば、タッチパネルやタッチパッドなどの入力装置を備えている。そして、ユーザーがタッチ操作をすることによって、情報処理装置や撮像装置の動作や設定を変更することができる。
【０００３】
例えば、特許文献１には、ユーザーによるタッチパネルの１回の押圧操作で、多階層の選択肢の中から所望の項目を選択することができるタッチパネル式入力装置が開示されている。そして、特許文献１では、カーナビゲーション装置に適用した場合を例として、特定の地域に存在する特定の施設を目的地として選択するときに、以下のような操作を行うことが示されている。
【０００４】
まず、ユーザーは、タッチパネルに表示されているアイコンの押下を開始する。このとき、カーナビゲーション装置の表示は、ユーザーが押下した圧力に応じて、東京→神奈川→千葉→・・・のように、地域に関する選択肢が変化する。ユーザーは、所望の地域が表示されたときの圧力を一定時間維持することによって、カーナビゲーション装置に設定する目的地が存在する地域の選択を確定する。さらに、ユーザーが、現在の圧力を維持し続けると、カーナビゲーション装置には、確定した地域に存在する施設に関する選択肢が表示される。ここで表示される選択肢は、一定時間の間隔毎に、○○県庁→○○遊園地→○○動物園→・・・のように、順次スクロールする。ユーザーは、所望の施設名が表示されたときに、押圧操作を解除することによって、カーナビゲーション装置に設定する施設の選択を確定する。
【０００５】
このように、特許文献１で開示された技術では、ユーザーが押圧操作を行ったときの押圧力と、押圧操作を行っている時間とを、選択した項目を確定するためのパラメータとして使用することによって、１回の押圧操作で、多階層の選択肢の中から所望の項目の選択することができる。
【先行技術文献】
【特許文献】
【０００６】
【特許文献１】特開２００６−３９７４５号公報
【発明の概要】
【発明が解決しようとする課題】
【０００７】
ところで、ユーザーインターフェースにおいてユーザーの操作性を考慮した場合、項目の選択に要する時間は短いこと、すなわち、すばやく項目を選択できることが望ましい。しかしながら、特許文献１で開示された技術では、１回の押圧操作で、多階層の選択肢の中から所望の項目を選択することができるが、項目の選択や選択した項目を確定するためのパラメータとして、ユーザーが押圧している時間の長さを使用している。このため、特許文献１で開示された技術を適用したユーザーインターフェースでは、項目の選択を完了するまでに、必ず一定の時間を要してしまう、という問題がある。
【０００８】
本発明は、上記の課題認識に基づいてなされたものであり、１回の押圧操作で、多階層の選択肢の中から所望の項目を選択する場合に、項目の選択を完了するまでに要する時間を短くすることができる情報処理装置および撮像装置を提供することを目的としている。
【課題を解決するための手段】
【０００９】
上記の課題を解決するため、本発明の情報処理装置は、ファイルを操作する情報処理装置であって、操作者が押下している位置と押下している圧力とを検出し、押下している位置を表す押下位置情報と、押下している圧力を表す押圧力情報とを出力する入力部と、前記押圧力情報と前記押下位置情報の両方または前記押下位置情報のみに基づいて、前記操作者が前記入力部を押下している状態から押下位置を移動させた方向を、押下操作の移動方向情報として算出する制御部と、前記操作者が、前記制御部に対し、当該情報処理装置の設定や動作の変更を、前記入力部を押下する圧力の調整と押下位置を移動する操作により指示する際に、前記操作者の操作を補助するガイド情報を表示する表示部と、前記押圧力情報と前記表示部に表示する前記ガイド情報とを対応付け、さらに、前記押圧力情報および前記移動方向情報と当該情報処理装置の設定や動作とを対応付けた指示解釈用情報を、少なくとも記録する記録部と、を備え、前記制御部は、前記指示解釈用情報を参照し、前記押圧力情報に応じた前記ガイド情報を、前記表示部に表示する前記ガイド情報として指定するガイド表示パラメータの値を導出し、対応する当該情報処理装置の構成要素内のパラメータの値を、該導出したガイド表示パラメータの値に変更することによって、前記表示部に、前記操作者が前記入力部を押下している圧力に応じた前記ガイド情報を表示させ、当該情報処理装置の設定や動作を、前記押圧力情報および前記移動方向情報に応じた内容に定める各構成要素のパラメータの値を導出し、対応する各構成要素のパラメータの値を、該導出したパラメータの値に変更することによって、当該情報処理装置の設定や動作に、前記操作者の操作による変更指示の内容を反映させる、ことを特徴とする。
【００１０】
また、本発明の情報処理装置の前記入力部は、タッチパネルを備える、ことを特徴とする。
【００１１】
また、本発明の情報処理装置の前記入力部は、タッチパッドを備える、ことを特徴とする。
【００１２】
また、本発明の情報処理装置の前記制御部は、前記操作者が前記入力部を押下している状態から１方向に弾く操作を行い、該弾く操作が完了したときに押下している状態が解除される一連の操作における、前記押下位置情報の軌跡と、対応する前記押圧力情報の軌跡とに基づいて、該一連の操作の開始位置、終了位置、および前記移動方向情報を算出する、ことを特徴とする。
【００１３】
また、本発明の情報処理装置の前記制御部は、前記操作者が前記入力部を押下している状態から１方向に弾く操作を行い、該弾く操作が完了したときに押下している状態が解除される一連の操作における、前記押下位置情報の変化量に基づいて、該一連の操作の開始位置および終了位置を算出する、ことを特徴とする。
【００１４】
また、本発明の情報処理装置の前記制御部は、前記操作者が前記入力部を押下している状態から１方向に弾く操作を行い、該弾く操作が完了したときに押下している状態が解除される一連の操作において、該１方向に弾く操作の開始時に前記入力部が押下されている位置を表す押下位置情報と、前記入力部の押下が解除される直前の位置を表す押下位置情報とに基づいて、前記押下操作の移動方向を算出する、ことを特徴とする。
【００１５】
また、本発明の情報処理装置の前記ファイルは、画像ファイルである、ことを特徴とする。
【００１６】
また、本発明の情報処理装置の前記表示部は、前記ガイド情報を前記画像ファイルに重畳して表示する、ことを特徴とする。
【００１７】
また、本発明の情報処理装置の前記制御部は、前記操作者の操作による前記変更指示の内容に応じて、前記表示部に表示する前記画像ファイルを変更するための再生画像パラメータを導出する、ことを特徴とする。
【００１８】
また、本発明の情報処理装置は、前記画像ファイルが、静止画の画像データである場合、前記再生画像パラメータは、前記表示部に表示する前記画像データを指定するパラメータであり、前記画像ファイルが、動画の画像データである場合、前記再生画像パラメータは、前記表示部に表示する前記画像データ内の特定のフレームを指定するパラメータである、ことを特徴とする。
【００１９】
また、本発明の情報処理装置の前記制御部は、前記再生画像パラメータの値を、前記画像データに含まれる管理情報に基づいて導出する、ことを特徴とする。
【００２０】
また、本発明の情報処理装置における前記管理情報は、前記画像データを撮影した順番を表すファイル番号である、ことを特徴とする。
【００２１】
また、本発明の情報処理装置における前記管理情報は、前記画像データを撮影した日付と時刻とを表す情報である、ことを特徴とする。
【００２２】
また、本発明の情報処理装置における前記管理情報は、前記画像データを撮影した記録時間を表す情報である、ことを特徴とする。
【００２３】
また、本発明の情報処理装置における前記管理情報は、前記画像データに含まれる被写体の認識情報を表す情報である、ことを特徴とする。
【００２４】
また、本発明の撮像装置は、画像ファイルの撮影と表示とを操作する撮像装置であって、予め設定された撮像処理パラメータに基づいて被写体を撮影し、撮影した被写体に応じた被写体信号を出力する撮像部と、予め設定された画像処理パラメータに基づいて、前記被写体信号に対して画像処理を行った画像ファイルを出力する画像処理部と、操作者が押下している位置と押下している圧力とを検出し、押下している位置を表す押下位置情報と、押下している圧力を表す押圧力情報とを出力する入力部と、前記押圧力情報と前記押下位置情報の両方または前記押下位置情報のみに基づいて、前記操作者が前記入力部を押下している状態から押下位置を移動させた方向を、押下操作の移動方向情報として算出する制御部と、前記操作者が、前記制御部に対し、当該撮像装置の設定や動作の変更を、前記入力部を押下する圧力の調整と押下位置を移動する操作により指示する際に、前記操作者の操作を補助するガイド情報を表示する表示部と、前記押圧力情報と前記表示部に表示する前記ガイド情報とを対応付け、さらに、前記押圧力情報および前記移動方向情報と当該撮像装置の設定や動作とを対応付けた指示解釈用情報を、少なくとも記録する記録部と、を備え、前記制御部は、前記指示解釈用情報を参照し、前記押圧力情報に応じた前記ガイド情報を、前記表示部に表示する前記ガイド情報として指定するガイド表示パラメータの値を導出し、対応する当該撮像装置の構成要素内のパラメータの値を、該導出したガイド表示パラメータの値に変更することによって、前記表示部に、前記操作者が前記入力部を押下している圧力に応じた前記ガイド情報を表示させ、当該撮像装置の設定や動作を、前記押圧力情報および前記移動方向情報に応じた内容に定める各構成要素のパラメータの値を導出し、対応する各構成要素のパラメータの値を、該導出したパラメータの値に変更することによって、当該撮像装置の設定や動作に、前記操作者の操作による変更指示の内容を反映させる、ことを特徴とする。
【００２５】
また、本発明の撮像装置の前記入力部は、タッチパネルを備える、ことを特徴とする。
【００２６】
また、本発明の撮像装置の前記入力部は、タッチパッドを備える、ことを特徴とする。
【００２７】
また、本発明の撮像装置の前記制御部は、前記操作者が前記入力部を押下している状態から１方向に弾く操作を行い、該弾く操作が完了したときに押下している状態が解除される一連の操作における、前記押下位置情報の軌跡と、対応する前記押圧力情報の軌跡とに基づいて、該一連の操作の開始位置、終了位置、および前記移動方向情報を算出する、ことを特徴とする。
【００２８】
また、本発明の撮像装置の前記制御部は、前記操作者が前記入力部を押下している状態から１方向に弾く操作を行い、該弾く操作が完了したときに押下している状態が解除される一連の操作における、前記押下位置情報の変化量に基づいて、該一連の操作の開始位置および終了位置を算出する、ことを特徴とする。
【００２９】
また、本発明の撮像装置の前記制御部は、前記操作者が前記入力部を押下している状態から１方向に弾く操作を行い、該弾く操作が完了したときに押下している状態が解除される一連の操作において、該１方向に弾く操作の開始時に前記入力部が押下されている位置を表す押下位置情報と、前記入力部の押下が解除される直前の位置を表す押下位置情報とに基づいて、前記押下操作の移動方向を算出する、ことを特徴とする。
【００３０】
また、本発明の撮像装置の前記表示部は、前記ガイド情報を前記画像ファイルに重畳して表示する、ことを特徴とする。
【００３１】
また、本発明の撮像装置の前記制御部は、前記操作者の操作による前記変更指示の内容に応じて、前記表示部に表示する前記画像ファイルを変更するための再生画像パラメータを導出する、ことを特徴とする。
【００３２】
また、本発明の撮像装置は、前記画像ファイルが、静止画の画像データである場合、前記再生画像パラメータは、前記表示部に表示する前記画像データを指定するパラメータであり、前記画像ファイルが、動画の画像データである場合、前記再生画像パラメータは、前記表示部に表示する前記画像データ内の特定のフレームを指定するパラメータである、ことを特徴とする。
【００３３】
また、本発明の撮像装置の前記制御部は、前記再生画像パラメータの値を、前記画像データに含まれる管理情報に基づいて導出する、ことを特徴とする。
【００３４】
また、本発明の撮像装置における前記管理情報は、前記画像データを撮影した順番を表すファイル番号である、ことを特徴とする。
【００３５】
また、本発明の撮像装置における前記管理情報は、前記画像データを撮影した日付と時刻とを表す情報である、ことを特徴とする。
【００３６】
また、本発明の撮像装置における前記管理情報は、前記画像データを撮影した記録時間を表す情報である、ことを特徴とする。
【００３７】
また、本発明の撮像装置の前記制御部は、前記操作者の操作による前記変更指示の内容に応じて、前記撮像部による撮影動作を設定する前記撮像処理パラメータ、および前記画像処理部による画像処理動作を設定する前記画像処理パラメータを導出する、ことを特徴とする。
【００３８】
また、本発明の撮像装置の前記制御部は、前記撮像処理パラメータの値として、前記撮像部が撮影する際のＩＳＯ感度を設定する前記パラメータの値を導出する、ことを特徴とする。
【００３９】
また、本発明の撮像装置の前記制御部は、前記撮像処理パラメータの値として、前記撮像部が撮影する際のＦ値を設定する前記パラメータの値を導出する、ことを特徴とする。
【００４０】
また、本発明の撮像装置の前記制御部は、前記撮像処理パラメータの値として、前記撮像部が撮影する際の露光補正を設定する前記パラメータの値を導出する、ことを特徴とする。
【００４１】
また、本発明の撮像装置の前記制御部は、前記画像処理パラメータの値として、前記画像処理部が画像処理する際のホワイトバランスを設定する前記パラメータの値を導出する、ことを特徴とする。
【００４２】
また、本発明の撮像装置の前記制御部は、前記画像処理パラメータの値として、前記画像処理部が画像処理する際のシャープネスを設定する前記パラメータの値を導出する、ことを特徴とする。
【００４３】
また、本発明の撮像装置の前記制御部は、前記画像処理パラメータの値として、前記画像処理部が画像処理する際の画像の加工方法を設定する前記パラメータの値を導出する、ことを特徴とする。
【００４４】
また、本発明の撮像装置の前記制御部は、前記画像処理パラメータの値として、前記画像処理部が画像処理する際のノイズ低減度を設定する前記パラメータの値を導出する、ことを特徴とする。
【００４５】
また、本発明の撮像装置の前記制御部は、前記画像処理パラメータの値として、前記画像処理部が画像処理する際の画像精鋭度を設定する前記パラメータの値を導出する、ことを特徴とする。
【００４６】
また、本発明の撮像装置の前記制御部は、前記画像処理パラメータの値として、前記画像処理部が画像処理する際のコントラスト強度を設定する前記パラメータの値を導出する、ことを特徴とする。
【００４７】
また、本発明の撮像装置は、前記画像ファイルに含まれる被写体を検出し、該検出した被写体の認識情報を、該画像ファイルに含まれる管理情報に付加する被写体認識部、をさらに備える、ことを特徴とする。
【００４８】
また、本発明の撮像装置の前記制御部は、前記パラメータの値を、前記画像ファイルの前記管理情報に含まれる被写体の認識情報に基づいて導出する、ことを特徴とする。
【００４９】
また、本発明の撮像装置の前記制御部は、前記パラメータの値として、前記被写体認識部が検出する被写体を設定するパラメータの値を導出する、ことを特徴とする。
【００５０】
また、本発明の撮像装置において、前記被写体認識部が被写体を検出する被写体は、前記画像ファイルに含まれる人物である、ことを特徴とする。
【００５１】
また、本発明の撮像装置において、前記被写体認識部が被写体を検出する被写体は、前記画像ファイルに含まれる人物の顔である、ことを特徴とする。
【００５２】
また、本発明の撮像装置において、前記被写体認識部が被写体を検出する被写体は、前記画像ファイルに含まれる動物である、ことを特徴とする。
【発明の効果】
【００５３】
本発明によれば、１回の押圧操作で、多階層の選択肢の中から所望の項目を選択する場合に、項目の選択を完了するまでに要する時間を短くすることができるという効果が得られる。
【図面の簡単な説明】
【００５４】
【図１】本発明の第１の実施形態における撮像装置の概略構成を示したブロック図である。
【図２】本第１の実施形態の撮像装置における指示解釈用情報の一例を示した表である。
【図３】本第１の実施形態の撮像装置におけるガイド情報の表示の一例を示した図である。
【図４】本第１の実施形態の撮像装置におけるガイド情報の表示の一例を示した図である。
【図５】本第１の実施形態の撮像装置におけるガイド情報の表示の一例を示した図である。
【図６】本発明の第２の実施形態における情報処理装置の概略構成を示したブロック図である。
【図７】本第２の実施形態の情報処理装置における第１の指示解釈用情報の一例を示した表である。
【図８】本第２の実施形態の情報処理装置における第１のガイド情報の表示の一例を示した図である。
【図９】本第２の実施形態の情報処理装置における第２の指示解釈用情報の一例を示した表である。
【図１０】本第２の実施形態の情報処理装置における第２のガイド情報の表示の一例を示した図である。
【図１１】本第２の実施形態の情報処理装置における第３の指示解釈用情報の一例を示した表である。
【図１２】本第２の実施形態の情報処理装置における第３のガイド情報の表示の一例を示した図である。
【図１３】本第２の実施形態の情報処理装置における別の指示解釈用情報の一例を示した表である。
【図１４】本第２の実施形態の情報処理装置におけるガイド情報の表示の別の一例を示した図である。
【図１５】本第３の実施形態の情報処理装置における指示解釈用情報の一例を示した表である。
【図１６】本第３の実施形態の情報処理装置におけるガイド情報の表示の一例を示した図である。
【発明を実施するための形態】
【００５５】
＜第１の実施形態＞
以下、本発明の実施形態について、図面を参照して説明する。図１は、本第１の実施形態における撮像装置の概略構成を示したブロック図である。図１に示した撮像装置１０は、制御部１と、入力部２と、表示部３と、記録部４と、パラメータ保持部５と、画像処理部６と、撮像部７と、被写体認識部８と、を備えている。図１に示した撮像装置１０は、被写体を撮像し、撮像した画像を記録する装置である。
【００５６】
撮像部７は、レンズなどを介して入射された被写体光を画像信号に変換する、例えば、固体撮像素子を備え、制御部１からの制御に基づいて、パラメータ保持部５によって設定されたパラメータに応じた撮像を行い、撮像した被写体の画像信号のデータを、記録部４に保存する。
【００５７】
画像処理部６は、制御部１からの制御に基づいて、記録部４に保存されている画像信号のデータに対して、パラメータ保持部５によって設定されたパラメータに応じた画像処理を行って、例えば、記録や表示用の画像データを生成する。そして、画像処理部６は、生成した画像データを、再び記録部４に保存する。
【００５８】
被写体認識部８は、制御部１からの制御に基づいて、記録部４に保存されている画像データに含まれる被写体の情報を検出し、検出した被写体の情報を認識情報として、画像データ内の管理情報に付加する。被写体認識部８が検出する被写体は、例えば、人物、人物の顔、動物（ペット）などである。
【００５９】
入力部２は、例えば、タッチパネルやタッチパッドなどの入力装置を備え、撮像装置１０の使用者（ユーザー）による操作を検出する。入力部２は、ユーザーが入力部２に対して行った押下（タッチ）操作の内、押下している位置（押下位置）と、押下した圧力（押圧力）とを検出し、検出した押下位置の情報と、押圧力の情報とを、記録部４に保存する。本第１の実施形態の撮像装置１０では、入力部２は、１０段階の分解能で押圧力を検出することができるものとする。なお、入力部２が検出した押下位置および押圧力に基づいた撮像装置１０の動作に関しては、後述する。
【００６０】
パラメータ保持部５は、撮像装置１０の設定や動作を定める各構成要素のパラメータの値を書き換える機能を有している。パラメータ保持部５は、各構成要素のパラメータの値（パラメータ値）を保持しており、制御部１からの制御によって、保持しているパラメータ値が変更されると、対応する構成要素に現在設定されているパラメータ値を、変更されたパラメータ値に更新（再設定）する。本第１の実施形態の撮像装置１０では、パラメータ保持部５は、撮像装置１０の設定や動作に関するパラメータ値を保持している。より具体的には、パラメータ保持部５は、撮像部７による撮像処理に関する撮像処理パラメータ値と、画像処理部６による画像処理に関する画像処理パラメータ値と、表示部３に表示（再生）させる画像データを指定する再生画像パラメータ値とを保持している。また、パラメータ保持部５は、表示部３に表示する、撮像装置１０の設定や動作の内容を事前にユーザーに通知するためのガイド情報を指定するガイド表示パラメータ値も保持している。
【００６１】
制御部１は、撮像装置１０内の各構成要素の制御を行う。また、制御部１は、入力部２が検出した押下位置および押圧力に基づいて、ユーザーが入力部２に対して行った操作の内容、すなわち、ユーザーからの撮像装置１０の設定や動作についての変更指示の内容を解釈する。より具体的には、制御部１は、まず、入力部２が検出した押圧力と押下位置の両方または押下位置のみの変化量に基づいて、ユーザーの押下操作の移動方向を算出する。そして、制御部１は、算出した押下の移動方向と押圧力とに基づいて、ユーザーからの撮像装置１０の設定や動作についての変更指示の内容を解釈し、解釈した内容に基づいて、撮像装置１０を変更指示の内容に応じた設定や動作に定める各構成要素のパラメータ値を導出する。また、制御部１は、押圧力に基づいて、表示部３に表示するガイド情報を把握し、そのガイド情報を表示部３に表示するガイド情報として指定するためのガイド表示パラメータの値を導出する。そして、制御部１は、導出した各構成要素のパラメータ値およびガイド表示パラメータ値を、パラメータ保持部５に保持する、すなわち、パラメータ保持部５に保持しているパラメータ値を変更する。なお、制御部１による各構成要素のパラメータ値およびガイド表示パラメータ値の導出においては、後述する指示解釈用情報が参照される。
【００６２】
なお、本第１の実施形態の撮像装置１０では、パラメータ保持部５と制御部１とが異なる構成要素である場合の例を示しているが、例えば、パラメータ保持部５を制御部１内の構成要素であるレジスタとし、制御部１が撮像装置１０内の各構成要素のパラメータ値を更新する構成とすることもできる。また、例えば、パラメータ保持部５を撮像装置１０内の構成要素のそれぞれに備え、制御部１が各構成要素のパラメータ値を更新し、各構成要素は、それぞれに備えたパラメータ保持部５に保持されたパラメータ値に基づいて動作する構成とすることもできる。
【００６３】
記録部４は、制御部１からの制御に基づいて、撮像装置１０内の各構成要素による処理で使用されるデータを保存する。より具体的には、記録部４は、撮像部７が撮像した被写体の画像信号のデータ、画像処理部６が画像処理を行った画像データ、被写体認識部８が被写体の情報を付加した画像データを保存する。また、記録部４は、入力部２が検出した押下位置および押圧力の情報、パラメータ保持部５によって指定されるガイド情報の表示用データ（以下、「ガイド表示データ」という）、制御部１によって参照される指示解釈用情報を保存する。
【００６４】
なお、記録部４を、例えば、図示しないメモリカードなどの画像記録媒体を含んだ構成とし、最終的に記録する画像データ（例えば、被写体認識部８が被写体の情報を付加した画像データ）はメモリカードに記録し、その他のデータはメモリカード以外の記録領域に記録する構成とすることもできる。また、記録部４を、例えば、ＤＲＡＭ（Ｄｙｎａｍｉｃ  Ｒａｎｄｏｍ  Ａｃｃｅｓｓ  Ｍｅｍｏｒｙ）など、データを一時的に記憶するメモリを含んだ構成とし、撮像装置１０の処理において一時的に生成され、最終的に記録しない画像データ（例えば、撮像部７が撮像した被写体の画像信号のデータや、画像処理部６が画像処理を行う際の一時的な画像データ）を、一時記憶する構成とすることもできる。
【００６５】
表示部３は、画像データを表示する、例えば、液晶などの表示装置を備え、制御部１からの制御に基づいて、再生画像パラメータで指定された画像データを表示する。また、表示部３は、制御部１からの制御に基づいて、表示している画像データに、例えば、ＯＳＤ（Ｏｎ−Ｓｃｒｅｅｎ  Ｄｉｓｐｌａｙ）表示によって、ガイド表示パラメータで指定されたガイド表示データを重畳する。
【００６６】
本第１の実施形態の撮像装置１０では、入力部２（タッチパネル）と表示部３（液晶）とが一体に構成されているものとする。従って、ユーザーは、表示部３を押下することによって変わる表示の内容に基づいて、撮像装置１０の設定や動作を変更することができる。
【００６７】
次に、本第１の実施形態の撮像装置１０の動作について説明する。ここでは、撮像装置１０の動作として、撮像装置１０が画像を撮像する撮影モードであるときに、ユーザーが、入力部２に対して押圧とフリックとを合わせた操作を行い、撮像装置１０の設定や動作を変更する場合について説明する。なお、ここで、「フリック」とは、ユーザーが、入力部２に対して押下を行った状態から、所望の一方向にスライドさせる（弾く）操作を行い、スライドさせる（弾く）操作が完了すると、押下している状態も終了する（押下状態が解除される）一連の操作を意味することとする。
【００６８】
まず、撮像装置１０に電源が投入されると、制御部１は、パラメータ保持部５のパラメータ値を、撮像装置１０が撮影モードになる値にする。これにより、パラメータ保持部５は、各構成要素のパラメータ値を撮影モードにおける初期値に更新（設定）する。この動作によって、撮像装置１０は撮影モードになり、以降のユーザーによって行われる押圧とフリックとを合わせた操作に応じて変更されるパラメータが決定される。撮影モードでは、撮像処理パラメータおよび画像処理パラメータが操作に応じて変更されるパラメータになりうるが、以下の説明においては、撮像処理パラメータが操作に応じて変更されるパラメータに決定された場合について説明する。
【００６９】
また、決定された操作に応じて変更されるパラメータ（撮像処理パラメータ）に応じて、制御部１がパラメータの値を導出する場合に参照する指示解釈用情報が決定される。指示解釈用情報は、ユーザーからの撮像装置１０の設定や動作についての変更指示の内容を解釈するための情報であり、より具体的には、押圧力と表示部３に表示するガイド情報、および押圧力とフリック操作の方向と撮像装置１０の設定や動作とを関連付けた情報である。
【００７０】
ここで、本第１の実施形態の撮像装置１０における指示解釈用情報について説明する。図２は、本第１の実施形態の撮像装置１０における指示解釈用情報の一例を示した表である。図２に示した指示解釈用情報の一例では、押圧力と表示部３に表示するガイド情報が関連付けられ、押圧力とフリック操作の方向と撮像装置１０の設定や動作とが関連付けられている。
【００７１】
より具体的には、上記に述べたように、本第１の実施形態の撮像装置１０では、入力部２が１０段階の分解能で押圧力を検出する。そして、指示解釈用情報には、図２に示したように、押圧力の段階に応じたガイド情報が関連付けられている。例えば、「１〜２」段階の押圧力には、「ガイド情報Ａを表示」が、「３〜４」段階の押圧力には、「ガイド情報Ｂを表示」が、指示解釈用情報によってそれぞれ関連付けられている。
【００７２】
また、指示解釈用情報には、図２に示したように、押圧力と同じ段階の押圧力でフリック操作された方向に応じて、撮像装置１０の設定や動作の内容が、関連付けられている。なお、フリック操作の方向は、１つの方向（角度）のみではなく、ユーザーがフリック操作を行う際のブレを考慮して、予め定めた範囲の角度（図２に示した指示解釈用情報の一例では、±３０°または±２２．５°）を１つの方向として認識するように設定されている。例えば、「１〜２」段階の押圧力で、フリック操作の方向が「３３０°〜３０°（０°方向）」である場合には、撮像装置１０の設定や動作の内容として「ＩＳＯ感度を１００に設定」が関連付けられている。また、例えば、「５〜６」段階の押圧力で、フリック操作の方向が「１５７．５°〜２０２．５°（１８０°方向）」である場合には、撮像装置１０の設定や動作の内容として「Ｆ値を４に設定」が関連付けられている。また、例えば、「９〜１０」段階の押圧力で、フリック操作の方向が「１５°〜７５°（＋４５°方向）」である場合には、撮像装置１０の設定や動作の内容として「露光補正＋０．５ＥＶ」が関連付けられている。
【００７３】
その後、制御部１は、入力部２からユーザーによる操作が開始されたことを表す通知を受けると、記録部４に保存されている押圧力の情報を取得する。そして、制御部１は、決定された指示解釈用情報を参照して、取得した押圧力に応じて表示部３に表示するガイド情報を把握し、そのガイド情報を表示部３に表示するガイド情報として指定するガイド表示パラメータの値（ガイド表示パラメータ値）を導出する。そして、制御部１は、パラメータ保持部５に保持しているガイド表示パラメータ値を、導出したガイド表示パラメータ値に変更する。これにより、パラメータ保持部５は、表示部３に現在設定されているガイド表示パラメータ値を、変更されたガイド表示パラメータ値に更新（再設定）する。そして、表示部３は、更新されたガイド表示パラメータ値で指定されたガイド情報を、現在表示している画像データに重畳して表示する。
【００７４】
ガイド情報は、上記に述べたように、本第１の実施形態の撮像装置１０の設定や動作の内容を事前にユーザーに通知するための情報である。ガイド情報は、現在の押圧力でフリック操作を行うと、フリック操作の方向によって撮像装置１０の設定や動作がどのように変更されるかを、ユーザーに提示する。
【００７５】
ここで、本第１の実施形態の撮像装置１０におけるガイド情報の表示について説明する。図３〜図５は、本第１の実施形態の撮像装置１０におけるガイド情報の表示の一例を示した図である。図３〜図５に示したガイド情報の表示の一例では、図２に示した指示解釈用情報の一例におけるガイド表示パラメータ値に対応した、すなわち、押圧力の各段階に対応して記録部４に保存されているガイド表示データによるガイド情報の表示例を示している。なお、図３〜図５に示したガイド情報の表示の一例には、ユーザーが押下している位置に、ユーザーによる押下の強さ、すなわち、「押下力」を、円の大きさで模式的に示している。
【００７６】
図３は、押圧力が「１〜２」段階である場合に表示される、すなわち、ユーザーに通知するガイド情報の一例を示している。図３に示したガイド情報の表示によって、ユーザーは、撮像装置１０のＩＳＯ感度を変更できることを、事前に把握することができる。そして、ユーザーは、いずれの方向にフリック操作を行うと、所望のＩＳＯ感度の値に設定することができるかを、把握することができる。
【００７７】
より具体的には、図３に示したガイド情報の表示の一例における左上の「ＩＳＯ」表示によって、ＩＳＯ感度を変更できることを把握し、ユーザーが押下している位置に表示される放射状の「矢印」と「数字」の表示によって、フリック操作の方向によって設定することができるＩＳＯ感度の値を把握することができる。
【００７８】
図４は、押圧力が「３〜８」段階である場合に表示される、すなわち、ユーザーに通知するガイド情報の一例を示している。図４に示したガイド情報の表示によって、ユーザーは、撮像装置１０のＦ値を変更できることを、事前に把握することができる。そして、ユーザーは、いずれの方向にフリック操作を行うと、所望のＦ値の値に設定することができるかを、把握することができる。なお、撮像装置１０では、多くのＦ値の値を設定することができる。このため、図２に示した指示解釈用情報の一例からわかるように、撮像装置１０では、設定することができるＦ値の値の範囲を、複数の段階の押圧力（本第１の実施形態の撮像装置１０では、「３〜４」、「５〜６」、および「７〜８」の段階の押圧力）に分けて関連付けている。
【００７９】
より具体的には、図４に示したガイド情報の表示の一例における左上の「Ｆ値」表示によって、Ｆ値を変更できることを把握し、ユーザーが押下している位置に表示される放射状の「矢印」と「数字」との表示によって、フリック操作の方向によって設定することができるＦ値の値を把握することができる。図４（ａ）には、押圧力が「３〜４」段階である場合に設定することができる「１６〜７．１」のＦ値の値を示したガイド情報の表示、図４（ｂ）には、押圧力が「５〜６」段階である場合に設定することができる「６．３〜２．８」のＦ値の値を示したガイド情報の表示、図４（ｃ）には、押圧力が「７〜８」段階である場合に設定することができる「２．５〜１．７」のＦ値の値を示したガイド情報の表示を、それぞれ示している。
【００８０】
図５は、押圧力が「９〜１０」段階である場合に表示される、すなわち、ユーザーに通知するガイド情報の一例を示している。図５に示したガイド情報の表示によって、ユーザーは、撮像装置１０の露光補正値を変更できることを、事前に把握することができる。そして、ユーザーは、いずれの方向にフリック操作を行うと、所望の露光補正の値に設定することができるかを、把握することができる。
【００８１】
より具体的には、図５に示したガイド情報の表示の一例における左上の「露光補正値」表示によって、露光補正値を変更できることを把握し、ユーザーが押下している位置に表示される放射状の「矢印」と「数字」の表示によって、フリック操作の方向によって設定することができる露光補正の値を把握することができる。
【００８２】
その後、制御部１は、記録部４に保存されている押圧力の情報および押下位置の情報を、さらに取得する。そして、制御部１は、取得した押圧力の情報および押下位置の情報に基づいて、ユーザーによってフリック操作が行われたか否かを判断する。より具体的には、制御部１は、短い時間で押下位置が一定量変化し、加えて、押下位置が変化してから間をおかずに押圧力がなくなった場合に、フリック操作が行われたと判断する。また、制御部１は、押下位置の変化が開始された位置を基準としたときの、押圧力がなくなる直前の押下位置の方向を、フリック操作の方向と判断する。
【００８３】
上述したフリック操作が行われたか否かの判断において、フリック操作が行われたと判断された場合、制御部１は、押圧力とフリック操作の方向とから、指示解釈用情報を参照して、撮像装置１０の設定や動作の変更指示の内容を把握する。そして、制御部１は、把握した内容に基づいて、撮像装置１０を変更指示の内容に応じた設定や動作にするパラメータ値を導出する。そして、制御部１は、パラメータ保持部５に保持している対応するパラメータ値を、導出したパラメータ値に変更する。これにより、パラメータ保持部５は、撮像装置１０内の各構成要素に現在設定されているパラメータ値を、変更されたパラメータ値に更新（再設定）する。上記に述べたような動作によって、撮像装置１０の設定や動作の変更を完了する。
【００８４】
また、上述したフリック操作が行われたか否かの判断において、フリック操作が行われていないと判断された場合には、制御部１は、押圧力の情報および押下位置の情報の取得と、指示解釈用情報からのガイド表示パラメータ値の導出およびパラメータ保持部５に保持しているパラメータ値の変更とを繰り返す。
【００８５】
ここで、本第１の実施形態の撮像装置１０においてフリック操作が行われた場合の動作の具体例について説明する。撮像装置１０において、押圧力が１〜２で、６０°の方向にフリック操作が行われた場合、制御部１は、ユーザーによって「ＩＳＯ感度を２００に設定」する変更指示がされたと解釈する。そして、制御部１は、この変更指示の内容に応じて、ＩＳＯ感度を２００に設定するための撮像処理パラメータの値を導出し、パラメータ保持部５に保持しているＩＳＯ感度のパラメータ値を、導出した撮像処理パラメータの値に変更する。これにより、パラメータ保持部５は、撮像部７に現在設定されている撮像装置１０のＩＳＯ感度を定めるパラメータ値を、変更された撮像処理パラメータの値に更新（再設定）する。このような動作によって、撮像装置１０のＩＳＯ感度が、２００に設定される。
【００８６】
また、撮像装置１０において、押圧力が５〜６で、４５°の方向にフリック操作が行われた場合、制御部１は、ユーザーによって「Ｆ値を５．６に設定」する変更指示がされたと解釈する。そして、制御部１は、この変更指示の内容に応じて、Ｆ値を５．６に設定するための撮像処理パラメータの値を導出し、パラメータ保持部５に保持しているＦ値のパラメータ値を、導出した撮像処理パラメータの値に変更する。これにより、パラメータ保持部５は、撮像部７に現在設定されている撮像装置１０のＦ値を定めるパラメータ値を、変更された撮像処理パラメータの値に更新（再設定）する。このような動作によって、撮像装置１０のＦ値が、５．６に設定される。
【００８７】
また、撮像装置１０において、押圧力が９〜１０で、１３５°の方向にフリック操作が行われた場合、制御部１は、ユーザーによって露光を現在の状態から「露光補正＋１．０ＥＶ」の状態にする変更指示がされたと解釈する。そして、制御部１は、この変更指示の内容に応じて、露光を＋１．０ＥＶの状態に設定するための撮像処理パラメータの値を導出し、パラメータ保持部５に保持している露光補正のパラメータ値を、導出した撮像処理パラメータの値に変更する。これにより、パラメータ保持部５は、撮像部７に現在設定されている撮像装置１０の露光状態を定めるパラメータ値を、変更された撮像処理パラメータの値に更新（再設定）する。このような動作によって、撮像装置１０の露光が、＋１．０ＥＶの状態に設定される。
【００８８】
上記に述べたとおり、本第１の実施形態の撮像装置１０では、指示解釈用情報を参照し、ユーザーが入力部２に対して押圧とフリック操作とを行った際の押圧力とフリック操作の方向とに基づいて、ユーザーからの撮像装置１０の設定や動作についての変更指示の内容を解釈する。これにより、ユーザーは、撮像装置１０の多種多様なパラメータの設定を、直感的な操作で、すばやく行うことができる。
【００８９】
なお、本第１の実施形態の撮像装置１０では、撮像部７による撮像処理に関する撮像処理パラメータであるＩＳＯ感度、Ｆ値、および露光補正のパラメータが、押圧とフリックとを合わせたユーザーの操作に応じて変更されるパラメータである場合について説明した。しかし、ユーザーの操作に応じて変更されるパラメータの種類や数は、本発明を実施するための形態に限定されるものではない。例えば、画像処理部６による画像処理に関する画像処理パラメータであるホワイトバランス、シャープネス、画像の加工などに関するパラメータを、ユーザーの操作に応じて変更されるパラメータとした場合でも、同様に考えて適用することができる。
【００９０】
また、本第１の実施形態の撮像装置１０では、撮像装置１０の動作モード（本実施形態では、撮影モード）が設定されることによって、ユーザーによって行われる押圧とフリックとを合わせた操作に応じて変更されるパラメータ（本実施形態では、撮像処理パラメータ）が決定される場合について説明した。しかし、ユーザーによる操作に応じて変更されるパラメータの決定は、本発明を実施するための形態に限定されるものではない。すなわち、ユーザーによる操作に応じて変更されるパラメータは、撮像装置１０の動作モードによって決定されるもののみではない。例えば、入力部２を操作することによって操作に応じて変更されるパラメータを切り替えるためのスイッチを備え、このスイッチを押下する毎に、撮像部７に設定する撮像処理パラメータ（例えば、ＩＳＯ感度、露光時間、Ｆ値など）や、画像処理部６に設定する画像処理パラメータ（例えば、ノイズ低減度、画像精鋭度、コントラスト強度など）や、撮像装置１０の各構成要素に設定するパラメータなど、操作に応じて変更されるパラメータの選択を、順次切り替える構成にすることもできる。なお、操作に応じて変更されるパラメータを切り替えるための構成や方法も、上述したスイッチを用いた方法に限定されるものではなく、例えば、ユーザーが入力部２を指で叩くタップ操作によって、操作に応じて変更されるパラメータの選択を、順次切り替える方法を適用することもできる。
【００９１】
また、本第１の実施形態の撮像装置１０では、入力部２が検出したユーザーによる操作の情報を記録部４に保存し、制御部１が、記録部４に保存されている情報に基づいて、ユーザーからの撮像装置１０の設定や動作についての変更指示の内容を解釈する場合について説明した。しかし、ユーザーからの撮像装置１０の設定や動作の変更指示の内容を解釈する方法は、本発明を実施するための形態に限定されるものではない。例えば、入力部２が検出したユーザーによる操作の情報を、逐次制御部１に通知し、制御部１が、通知された情報に基づいて、ユーザーからの撮像装置１０の設定や動作についての変更指示の内容を解釈する構成とすることもできる。
【００９２】
また、本第１の実施形態の撮像装置１０では、入力部２が押下位置と押圧力とを検出し、制御部１が、検出された押下位置と押圧力とに基づいて、ユーザーによるフリック操作やその方向を判断する場合について説明した。しかし、フリック操作やフリック操作が行われた方向の判断は、本発明を実施するための形態に限定されるものではない。例えば、入力部２が、フリック操作が行われたか否かの判断と、フリック操作が行われた場合におけるフリック操作の方向の判断とを行う構成とすることもできる。この場合には、制御部１は、入力部２が検出したフリック操作やフリック操作が行われた方向に基づいて、以降の処理を行うこととなる。
【００９３】
＜第２の実施形態＞
次に、本発明の第２の実施形態について説明する。図６は、本第２の実施形態における情報処理装置の概略構成を示したブロック図である。図６に示した情報処理装置２０は、制御部１と、入力部２と、表示部３と、記録部４と、パラメータ保持部５と、を備えている。図６に示した情報処理装置２０は、画像を再生する機能を有する装置である。
【００９４】
なお、本第２の実施形態の情報処理装置２０の各構成要素は、第１の実施形態の撮像装置１０に備えた構成要素と同様の構成要素を含んでいる。従って、以下に説明する情報処理装置２０の各構成要素の機能や動作を、第１の実施形態の撮像装置１０に備えた対応する構成要素で実現することによって、本第２の実施形態の情報処理装置２０と同様の機能や動作を、第１の実施形態の撮像装置１０でも実現することができる。以下の説明においては、第１の実施形態の撮像装置１０に備えた構成要素に対応する情報処理装置２０の構成要素には、撮像装置１０の構成要素と同一の符号を付与して説明する。
【００９５】
入力部２は、例えば、タッチパネルやタッチパッドなどの入力装置を備え、情報処理装置２０の使用者（ユーザー）による操作を検出する。入力部２は、ユーザーが入力部２に対して行った押下（タッチ）操作の内、押下している位置（押下位置）と、押下した圧力（押圧力）とを検出し、検出した押下位置の情報と、押圧力の情報とを、記録部４に保存する。本第２の実施形態の情報処理装置２０では、入力部２は、１０段階の分解能で押圧力を検出することができるものとする。なお、入力部２が検出した押下位置および押圧力に基づいた情報処理装置２０の設定や動作に関しては、後述する。
【００９６】
パラメータ保持部５は、情報処理装置２０の設定や動作を定める各構成要素のパラメータの値を書き換える機能を有している。パラメータ保持部５は、各構成要素のパラメータの値（パラメータ値）を保持しており、制御部１からの制御によって、保持しているパラメータ値が変更されると、対応する構成要素に現在設定されているパラメータ値を、変更されたパラメータ値に更新（再設定）する。本第２の実施形態の情報処理装置２０では、パラメータ保持部５は、情報処理装置２０の設定や動作に関するパラメータ値を保持している。より具体的には、パラメータ保持部５は、表示部３に表示（再生）させる画像データを指定する再生画像パラメータ値と、表示部３に表示する、情報処理装置２０の設定や動作の内容を事前にユーザーに通知するためのガイド情報を指定するガイド表示パラメータ値とを保持している。また、パラメータ保持部５は、ユーザーが行った入力部２の操作に応じて、制御部１が、ユーザーによる情報処理装置２０の設定や動作の内容の解釈を行う際に参照される、後述する指示解釈用情報を切り替えるための解釈切り替えパラメータも保持している。
【００９７】
制御部１は、情報処理装置２０内の各構成要素の制御を行う。また、制御部１は、入力部２が検出した押下位置および押圧力に基づいて、ユーザーが入力部２に対して行った操作の内容、すなわち、ユーザーからの情報処理装置２０の設定や動作についての変更指示の内容を解釈する。より具体的には、制御部１は、まず、入力部２が検出した押圧力と押下位置の両方または押下位置のみの変化量に基づいて、ユーザーの押下操作の移動方向を算出する。そして、制御部１は、算出した押下の移動方向と押圧力とに基づいて、ユーザーからの情報処理装置２０の設定や動作についての変更指示の内容を解釈し、解釈した内容に基づいて、情報処理装置２０を変更指示の内容に応じた設定や動作に定める各構成要素のパラメータ値を導出する。また、制御部１は、押圧力に基づいて、表示部３に表示するガイド情報を把握し、そのガイド情報を表示部３に表示するガイド情報として指定するためのガイド表示パラメータの値を導出する。そして、制御部１は、導出した各構成要素のパラメータ値およびガイド表示パラメータ値を、パラメータ保持部５に保持する、すなわち、パラメータ保持部５に保持しているパラメータ値を変更する。なお、制御部１による各構成要素のパラメータ値およびガイド表示パラメータ値の導出においては、後述する指示解釈用情報が参照される。
【００９８】
また、制御部１は、記録部４に保存されている画像データに対して、撮影された順番を表すファイル番号の割り当てを行う。制御部１によるファイル番号の割り当ては、画像データ内の管理情報に含まれる撮影日時に基づいて行う。より具体的には、制御部１は、記録部４に保存されている全ての画像データの撮影日時を参照し、撮影日時が最も早い画像データから順番に、例えば、１、２、３、・・・というように、それぞれの画像データへのファイル番号の割り当てを行う。そして、制御部１は、割り当てたファイル番号を、それぞれの画像データ内の管理情報に付加する。
【００９９】
なお、本第２の実施形態の情報処理装置２０を、第１の実施形態の撮像装置１０で実現した場合、制御部１によるファイル番号の割り当ては、例えば、撮像装置１０による撮影動作において順番に割り当てられるファイル番号で代用することもできる。
【０１００】
なお、本第２の実施形態の情報処理装置２０では、パラメータ保持部５と制御部１とが異なる構成要素である場合の例を示しているが、例えば、パラメータ保持部５を制御部１内の構成要素であるレジスタとし、制御部１が情報処理装置２０内の各構成要素のパラメータ値を更新する構成とすることもできる。また、例えば、パラメータ保持部５を情報処理装置２０内の構成要素のそれぞれに備え、制御部１が各構成要素のパラメータ値を更新し、各構成要素は、それぞれに備えたパラメータ保持部５に保持されたパラメータ値に基づいて動作する構成とすることもできる。
【０１０１】
記録部４は、制御部１からの制御に基づいて、情報処理装置２０内の各構成要素による処理で使用されるデータを保存する。より具体的には、記録部４は、表示部３に表示（再生）する画像データを保存する。この画像データの管理情報には、撮影日時、制御部１が割り当てたファイル番号の他に、例えば、第１の実施形態の撮像装置１０に備えた被写体認識部８または同等の機能を有する構成要素が検出した、被写体の情報を表す認識情報が含まれている。また、記録部４は、入力部２が検出した押下位置および押圧力の情報、パラメータ保持部５によって指定されるガイド情報の表示用データ（ガイド表示データ）、制御部１によって参照される指示解釈用情報を保存する。
【０１０２】
なお、記録部４を、例えば、図示しないメモリカードなどの画像記録媒体を含んだ構成とし、例えば、第１の実施形態の撮像装置１０によって記録された画像データ（被写体認識部８によって被写体の情報が付加されている）も、記録部４に保存している画像データとして扱う構成とすることもできる。
【０１０３】
また、記録部４に保存している画像データは、ユーザーによって追加や削除を行うことができる。記録部４に保存している画像データが追加や削除された場合、制御部１は、追加や削除がされた後に記録部４に保存されている画像データに対して、再度ファイル番号の割り当てを行う。
【０１０４】
表示部３は、画像データを表示する、例えば、液晶などの表示装置を備え、制御部１からの制御に基づいて、再生画像パラメータで指定された画像データを表示する。また、表示部３は、制御部１からの制御に基づいて、表示している画像データに、例えば、ＯＳＤ（Ｏｎ−Ｓｃｒｅｅｎ  Ｄｉｓｐｌａｙ）表示によって、ガイド表示パラメータで指定されたガイド表示データを重畳する。
【０１０５】
本第２の実施形態の情報処理装置２０では、入力部２（タッチパネル）と表示部３（液晶）とが一体に構成されているものとする。従って、ユーザーは、表示部３を押下することによって変わる表示の内容に基づいて、情報処理装置２０の設定や動作を変更することができる。
【０１０６】
＜第１の再生動作＞
次に、本第２の実施形態の情報処理装置２０における第１の再生動作について説明する。ここでは、情報処理装置２０の動作として、情報処理装置２０が画像を再生する再生モードであるときに、ユーザーが、入力部２に対して押圧とフリックとを合わせた操作を行い、情報処理装置２０が再生する画像を変更する場合について説明する。なお、以下の説明においては、記録部４には、すでに複数の画像データが保存されているものとする。また、記録部４に保存された画像データ内の管理情報には、画像データを生成（撮影）した年月日および時刻である撮影日時と、第１の実施形態の撮像装置１０に備えた被写体認識部８によって検出された画像内の被写体に関する認識情報と、制御部１によって割り当てられたファイル番号とが、すでに含まれているものとする。
【０１０７】
まず、情報処理装置２０に電源が投入されると、制御部１は、パラメータ保持部５のパラメータ値を、情報処理装置２０が再生モードになる値にする。これにより、パラメータ保持部５は、各構成要素のパラメータ値を再生モードにおける初期値に更新（設定）する。この動作によって、情報処理装置２０は再生モードになり、以降のユーザーによって行われる押圧とフリックとを合わせた操作に応じて変更されるパラメータが決定される。再生モードでは、再生画像パラメータが操作に応じて変更されるパラメータである。以下の説明においては、再生画像パラメータが操作に応じて変更されるパラメータである場合について説明する。再生画像パラメータは、表示部３に表示（再生）する画像データの保存場所（記録部４の記録領域）を表すパラメータである。
【０１０８】
また、決定された操作に応じて変更される再生画像パラメータに応じて、制御部１がパラメータの値を導出する場合に参照する指示解釈用情報が決定される。指示解釈用情報は、ユーザーからの情報処理装置２０の設定や動作についての変更指示の内容を解釈するための情報であり、より具体的には、押圧力と表示部３に表示するガイド情報、および押圧力とフリック操作の方向と情報処理装置２０の設定や動作とを関連付けた情報である。
【０１０９】
ここで、本第２の実施形態の情報処理装置２０における第１の再生動作の指示解釈用情報について説明する。図７は、本第２の実施形態の情報処理装置２０における第１の指示解釈用情報の一例を示した表である。図７に示した第１の指示解釈用情報の一例では、押圧力と表示部３に表示するガイド情報が関連付けられ、押圧力とフリック操作の方向と情報処理装置２０の設定や動作とが関連付けられている。
【０１１０】
より具体的には、上記に述べたように、本第２の実施形態の情報処理装置２０では、入力部２が１０段階の分解能で押圧力を検出する。そして、第１の指示解釈用情報には、図７に示したように、押圧力の段階に応じたガイド情報が関連付けられている。例えば、「１〜３」段階の押圧力には、「ガイド情報Ｆを表示」が、「４〜６」段階の押圧力には、「ガイド情報Ｇを表示」が、第１の指示解釈用情報によってそれぞれ関連付けられている。
【０１１１】
また、第１の指示解釈用情報には、図７に示したように、押圧力と同じ段階の押圧力でフリック操作された方向に応じて、情報処理装置２０の設定や動作の内容が、関連付けられている。なお、フリック操作の方向は、１つの方向（角度）のみではなく、ユーザーがフリック操作を行う際のブレを考慮して、予め定めた範囲の角度（図７に示した第１の指示解釈用情報の一例では、±７５°）を１つの方向として認識するように設定されている。例えば、「１〜３」段階の押圧力で、フリック操作の方向が「１５°〜１６５°（＋９０°方向）」である場合には、情報処理装置２０の設定や動作の内容として「ファイル番号が１大きい画像を表示」が関連付けられている。また、例えば、「４〜６」段階の押圧力で、フリック操作の方向が「１９５°〜３４５°（−９０°方向）」である場合には、情報処理装置２０の設定や動作の内容として「ファイル番号が１０小さい画像を表示」が関連付けられている。また、例えば、「７〜１０」段階の押圧力で、フリック操作の方向が「１５°〜１６５°（＋９０°方向）」である場合には、情報処理装置２０の設定や動作の内容として「ファイル番号が５０大きい画像を表示」が関連付けられている。
【０１１２】
その後、制御部１は、入力部２からユーザーによる操作が開始されたことを表す通知を受けると、記録部４に保存されている押圧力の情報を取得する。そして、制御部１は、決定された指示解釈用情報（第１の指示解釈用情報）を参照して、取得した押圧力に応じて表示部３に表示するガイド情報を把握し、そのガイド情報を表示部３に表示するガイド情報として指定するガイド表示パラメータの値（ガイド表示パラメータ値）を導出する。そして、制御部１は、パラメータ保持部５に保持しているガイド表示パラメータ値を、導出したガイド表示パラメータ値に変更する。これにより、パラメータ保持部５は、表示部３に現在設定されているガイド表示パラメータ値を、変更されたガイド表示パラメータ値に更新（再設定）する。そして、表示部３は、更新されたガイド表示パラメータ値で指定されたガイド情報を、現在表示している画像データに重畳して表示する。
【０１１３】
ガイド情報は、上記に述べたように、本第２の実施形態の情報処理装置２０の設定や動作の内容を事前にユーザーに通知するための情報である。ガイド情報は、現在の押圧力でフリック操作を行うと、フリック操作の方向によって情報処理装置２０の設定や動作がどのように変更されるかを、ユーザーに提示する。
【０１１４】
ここで、本第２の実施形態の情報処理装置２０における第１の再生動作のガイド情報の表示について説明する。図８は、本第２の実施形態の情報処理装置２０における第１のガイド情報の表示の一例を示した図である。図８に示したガイド情報の表示の一例では、図７に示した第１の指示解釈用情報の一例におけるガイド表示パラメータ値に対応した、すなわち、押圧力の各段階に対応して記録部４に保存されているガイド表示データによるガイド情報の表示例を示している。なお、図８に示したガイド情報の表示の一例には、ユーザーが押下している位置に、ユーザーによる押下の強さ、すなわち、「押下力」を、円の大きさで模式的に示している。
【０１１５】
図８（ａ）は、押圧力が「１〜３」段階である場合に表示される、すなわち、ユーザーに通知するガイド情報の一例を示している。図８（ａ）に示したガイド情報の表示によって、ユーザーは、情報処理装置２０に表示する画像を、表示部３に現在表示されている画像の１枚前後の画像に変更できることを、事前に把握することができる。
【０１１６】
より具体的には、図８（ａ）に示したガイド情報の表示の一例において、ユーザーが押下している位置の左上の「１枚」表示によって、表示する画像を１枚毎に切り替えられることを把握し、ユーザーのフリック操作の方向によって、ファイル番号が１大きい画像またはファイル番号が１小さい画像が、表示部３に表示されることを把握することができる。
【０１１７】
図８（ｂ）は、押圧力が「４〜６」段階である場合に表示される、すなわち、ユーザーに通知するガイド情報の一例を示している。図８（ｂ）に示したガイド情報の表示によって、ユーザーは、次に情報処理装置２０に表示する画像を、表示部３に現在表示されている画像の１０枚前後の画像に変更できることを、事前に把握することができる。
【０１１８】
より具体的には、図８（ｂ）に示したガイド情報の表示の一例において、ユーザーが押下している位置の左上の「１０枚」表示によって、表示する画像を１０枚毎に切り替えられることを把握し、ユーザーのフリック操作の方向によって、ファイル番号が１０大きい画像またはファイル番号が１０小さい画像が、表示部３に表示されることを把握することができる。
【０１１９】
図８（ｃ）は、押圧力が「７〜１０」段階である場合に表示される、すなわち、ユーザーに通知するガイド情報の一例を示している。図８（ｃ）に示したガイド情報の表示によって、ユーザーは、次に情報処理装置２０に表示する画像を、表示部３に現在表示されている画像の５０枚前後の画像に変更できることを、事前に把握することができる。
【０１２０】
より具体的には、図８（ｃ）に示したガイド情報の表示の一例において、ユーザーが押下している位置の左上の「５０枚」表示によって、表示する画像を５０枚毎に切り替えられることを把握し、ユーザーのフリック操作の方向によって、ファイル番号が５０大きい画像またはファイル番号が５０小さい画像が、表示部３に表示されることを把握することができる。
【０１２１】
その後、制御部１は、記録部４に保存されている押圧力の情報および押下位置の情報を、さらに取得する。そして、制御部１は、取得した押圧力の情報および押下位置の情報に基づいて、ユーザーによってフリック操作が行われたか否かを判断する。なお、フリック操作が行われたか否かの判断方法、およびフリック操作の方向の判断方法は、第１の実施形態の撮像装置１０に備えた制御部１における判断方法と同様であるため、詳細な説明は省略する。
【０１２２】
上述したフリック操作が行われたか否かの判断において、フリック操作が行われたと判断された場合、制御部１は、押圧力とフリック操作の方向とから、第１の指示解釈用情報を参照して、情報処理装置２０の設定や動作の変更指示の内容を把握する。そして、制御部１は、把握した内容に基づいて、情報処理装置２０を変更指示の内容に応じた設定や動作にするパラメータ値を導出する。そして、制御部１は、パラメータ保持部５に保持している対応するパラメータ値を、導出したパラメータ値に変更する。これにより、パラメータ保持部５は、情報処理装置２０内の各構成要素に現在設定されているパラメータ値を、変更されたパラメータ値に更新（再設定）する。上記に述べたような動作によって、情報処理装置２０内の設定や動作の変更を完了する。
【０１２３】
また、上述したフリック操作が行われたか否かの判断において、フリック操作が行われていないと判断された場合には、制御部１は、押圧力の情報および押下位置の情報の取得と、第１の指示解釈用情報からのガイド表示パラメータ値の導出およびパラメータ保持部５に保持しているパラメータ値の変更とを繰り返す。
【０１２４】
ここで、本第２の実施形態の情報処理装置２０においてフリック操作が行われた場合の第１の再生動作の具体例について説明する。情報処理装置２０において、押圧力が１〜３で、＋９０°の方向にフリック操作が行われた場合、制御部１は、ユーザーによって「ファイル番号が１大きい画像を表示」する変更指示がされたと解釈する。そして、制御部１は、この変更指示の内容に応じて、表示部３に現在表示している画像データのファイル番号に、１を加えたファイル番号を、次に表示部３に表示する画像データのファイル番号とした再生画像パラメータの値を導出し、パラメータ保持部５に保持している再生画像パラメータのパラメータ値を、導出した再生画像パラメータの値に変更する。これにより、パラメータ保持部５は、表示部３に現在設定されている情報処理装置２０が表示（再生）する画像データを指定するパラメータ値を、変更された再生画像パラメータの値に更新（再設定）する。このような動作によって、情報処理装置２０に現在表示されている画像の１枚後の画像が、表示部３に表示される。
【０１２５】
同様に、情報処理装置２０において、押圧力が４〜６で、−９０°の方向にフリック操作が行われた場合には、現在表示されている画像の１０枚前の画像が表示部３に表示され、押圧力が７〜１０で、＋９０°の方向にフリック操作が行われた場合には、現在表示されている画像の５０枚後の画像が表示部３に表示される。
【０１２６】
上記に述べたとおり、本第１の再生動作では、第１の指示解釈用情報を参照し、ユーザーが入力部２に対して行った押圧とフリック操作とに基づいて、ユーザーからの表示部３に表示する画像についての変更指示の内容を解釈して、次の画像データを表示部３に表示することができる。また、本第１の再生動作では、次の画像データの指示を、ファイル番号の観点から行うことができ、複数の指示方法から選択することができるため、ユーザーの操作性を向上することができる。
【０１２７】
なお、本第１の再生動作では、図８に示したように、次に表示する画像が、現在表示されている画像の何枚前後の画像であるかのみを提示し、フリック操作の方向によって、現在表示されている画像の前の画像または後の画像のいずれの画像を表示するかを提示していないガイド情報の一例について説明した。しかし、ガイド情報が事前にユーザーに通知する情報処理装置２０の設定や動作の内容は、本発明を実施するための形態に限定されるものではない。例えば、図８に示した、現在表示されている画像の何枚前後の画像であるかの情報に加えて、ユーザーが押下している位置に左右方向の「矢印」と「コメント」を表示することによって、フリック操作の方向によって前の画像または後の画像のいずれの画像を表示するかを表す情報を、ガイド情報としてユーザーに事前に通知する構成とすることもできる。
【０１２８】
＜第２の再生動作＞
次に、本第２の実施形態の情報処理装置２０における第２の再生動作について説明する。ここでは、制御部１が各構成要素のパラメータ値およびガイド表示パラメータ値を導出する際に参照される指示解釈用情報として、第２の指示解釈用情報が選択された場合について説明する。なお、第２の再生動作と第１の再生動作との違いは、指示解釈用情報が異なることによる動作の違いのみである。すなわち、情報処理装置２０の再生モードへの設定や、情報処理装置２０の設定や動作を定める押圧とフリックとを合わせた操作に応じて変更されるパラメータが決定される動作は、第１の再生動作と同様である。従って、第１の再生動作と同様の動作に関する詳細な説明は、省略する。
【０１２９】
図９は、本第２の実施形態の情報処理装置２０における第２の指示解釈用情報の一例を示した表である。図９に示した第２の指示解釈用情報の一例では、押圧力と表示部３に表示するガイド情報が関連付けられ、押圧力とフリック操作の方向と情報処理装置２０の設定や動作が関連付けられている。
【０１３０】
より具体的には、第２の指示解釈用情報には、図９に示したように、押圧力の段階に応じたガイド情報が関連付けられている。例えば、「１〜３」段階の押圧力には、「ガイド情報Ｉを表示」が、「４〜６」段階の押圧力には、「ガイド情報Ｊを表示」が、第２の指示解釈用情報によってそれぞれ関連付けられている。
【０１３１】
また、第２の指示解釈用情報には、図９に示したように、押圧力と同じ段階の押圧力でフリック操作された方向に応じて、情報処理装置２０の設定や動作の内容が、関連付けられている。なお、フリック操作の方向は、１つの方向（角度）のみではなく、ユーザーがフリック操作を行う際のブレを考慮して、予め定めた範囲の角度（図９に示した第２の指示解釈用情報の一例では、±７５°）を１つの方向として認識するように設定されている。例えば、「１〜３」段階の押圧力で、フリック操作の方向が「１５°〜１６５°（＋９０°方向）」である場合には、情報処理装置２０の設定や動作の内容として「すでに表示されている画像より、撮影日が１日以上後で、最も早く撮影された画像を表示」が関連付けられている。また、例えば、「４〜６」段階の押圧力で、フリック操作の方向が「１９５°〜３４５°（−９０°方向）」である場合には、情報処理装置２０の設定や動作の内容として「すでに表示されている画像より、撮影日が１ヶ月以上前で、最も早く撮影された画像を表示」が関連付けられている。また、例えば、「７〜１０」段階の押圧力で、フリック操作の方向が「１５°〜１６５°（＋９０°方向）」である場合には、情報処理装置２０の設定や動作の内容として「すでに表示されている画像より、撮影日が１年以上後で、最も早く撮影された画像を表示」が関連付けられている。
【０１３２】
制御部１は、入力部２が検出した押圧力の情報に基づいて、第２の指示解釈用情報を参照し、第１の再生動作と同様に、パラメータ保持部５に保持しているガイド表示パラメータ値を変更する。これにより、パラメータ保持部５は、第１の再生動作と同様に、表示部３に現在設定されているガイド表示パラメータ値を更新（再設定）し、表示部３は、更新されたガイド表示パラメータ値で指定されたガイド情報を、現在表示している画像データに重畳して表示する。
【０１３３】
ここで、本第２の実施形態の情報処理装置２０における第２の再生動作のガイド情報の表示について説明する。図１０は、本第２の実施形態の情報処理装置２０における第２のガイド情報の表示の一例を示した図である。図１０に示したガイド情報の表示の一例では、図９に示した第２の指示解釈用情報の一例におけるガイド表示パラメータ値に対応した、すなわち、押圧力の各段階に対応して記録部４に保存されているガイド表示データによるガイド情報の表示例を示している。なお、図１０に示したガイド情報の表示の一例には、ユーザーが押下している位置に、ユーザーによる押下の強さ、すなわち、「押下力」を、円の大きさで模式的に示している。
【０１３４】
図１０（ａ）は、押圧力が「１〜３」段階である場合に表示される、すなわち、ユーザーに通知するガイド情報の一例を示している。図１０（ａ）に示したガイド情報の表示によって、ユーザーは、情報処理装置２０に表示する画像を、表示部３に現在表示されている画像の１日後の画像または１日前の画像に変更できることを、事前に把握することができる。
【０１３５】
より具体的には、図１０（ａ）に示したガイド情報の表示の一例における右上の年月日の表示の内、「日」に対応する部分を強調した表示にすることによって、表示する画像を撮影日の単位で変更できることを把握し、ユーザーが押下している位置に表示される左右方向の「矢印」と「コメント」の表示によって、フリック操作の方向によって、異なる撮影日の画像に変更できることを把握することができる。
【０１３６】
図１０（ｂ）は、押圧力が「４〜６」段階である場合に表示される、すなわち、ユーザーに通知するガイド情報の一例を示している。図１０（ｂ）に示したガイド情報の表示によって、ユーザーは、情報処理装置２０に表示する画像を、表示部３に現在表示されている画像の１ヶ月後の画像または１ヶ月前の画像に変更できることを、事前に把握することができる。
【０１３７】
より具体的には、図１０（ｂ）に示したガイド情報の表示の一例における右上の年月日の表示の内、「月」に対応する部分を強調した表示にすることによって、表示する画像を撮影月の単位で変更できることを把握し、ユーザーが押下している位置に表示される左右方向の「矢印」と「コメント」の表示によって、フリック操作の方向によって、異なる撮影月の画像に変更できることを把握することができる。
【０１３８】
図１０（ｃ）は、押圧力が「７〜１０」段階である場合に表示される、すなわち、ユーザーに通知するガイド情報の一例を示している。図１０（ｃ）に示したガイド情報の表示によって、ユーザーは、情報処理装置２０に表示する画像を、表示部３に現在表示されている画像の１年後の画像または１年前の画像に変更できることを、事前に把握することができる。
【０１３９】
より具体的には、図１０（ｃ）に示したガイド情報の表示の一例における右上の年月日の表示の内、「年」に対応する部分を強調した表示にすることによって、表示する画像を撮影年の単位で変更できることを把握し、ユーザーが押下している位置に表示される左右方向の「矢印」と「コメント」の表示によって、フリック操作の方向によって、異なる撮影年の画像に変更できることを把握することができる。
【０１４０】
制御部１は、記録部４に保存されている押圧力の情報および押下位置の情報を、さらに取得し、取得した押圧力の情報および押下位置の情報に基づいて、ユーザーによってフリック操作が行われたか否かを判断する。なお、フリック操作が行われたか否かの判断方法、およびフリック操作の方向の判断方法は、第１の実施形態の撮像装置１０に備えた制御部１における判断方法、および第１の再生動作と同様であるため、詳細な説明は省略する。また、フリック操作が行われていないと判断された場合の動作も、第１の実施形態の撮像装置１０に備えた制御部１における判断方法、および第１の再生動作と同様であるため、詳細な説明は省略する。
【０１４１】
フリック操作が行われたと判断された場合、制御部１は、押圧力とフリック操作の方向とから、第２の指示解釈用情報を参照して、第１の再生動作と同様に、情報処理装置２０を変更指示の内容に応じた設定や動作にするパラメータ値を導出し、パラメータ保持部５に保持している対応するパラメータ値を変更する。これにより、パラメータ保持部５は、第１の再生動作と同様に、情報処理装置２０内の各構成要素に現在設定されているパラメータ値を更新（再設定）し、情報処理装置２０内の各構成要素の設定や動作の変更を完了する。
【０１４２】
ここで、本第２の実施形態の情報処理装置２０においてフリック操作が行われた場合の第２の再生動作の具体例について説明する。情報処理装置２０において、押圧力が１〜３で、＋９０°の方向にフリック操作が行われた場合、制御部１は、ユーザーによって「すでに表示されている画像より、撮影日が１日以上後で、最も早く撮影された画像を表示」する変更指示がされたと解釈する。そして、制御部１は、この変更指示の内容に応じて、記録部４に保存された画像データ内の管理情報に含まれる撮影日時を参照し、表示部３に現在表示している画像データの撮影日より、１日以上後の撮影日である画像データの内、最も早く撮影された画像データを、次に表示部３に表示する画像データとした再生画像パラメータの値を導出し、パラメータ保持部５に保持している再生画像パラメータのパラメータ値を、導出した再生画像パラメータの値に変更する。これにより、パラメータ保持部５は、表示部３に現在設定されている情報処理装置２０が表示（再生）する画像データを指定するパラメータ値を、変更された再生画像パラメータの値に更新（再設定）する。このような動作によって、情報処理装置２０に現在表示されている画像より、撮影日が１日以上後で、最も早く撮影された画像が、表示部３に表示される。
【０１４３】
同様に、情報処理装置２０において、押圧力が４〜６で、−９０°の方向にフリック操作が行われた場合には、現在表示されている画像より撮影日が１ヶ月以上前で、最も早く撮影された画像が表示部３に表示され、押圧力が７〜１０で、＋９０°の方向にフリック操作が行われた場合には、現在表示されている画像より撮影日が１年以上後で、最も早く撮影された画像が表示部３に表示される。
【０１４４】
上記に述べたとおり、本第２の再生動作では、第２の指示解釈用情報を参照し、ユーザーが入力部２に対して行った押圧とフリック操作とに基づいて、ユーザーからの表示部３に表示する画像についての変更指示の内容を解釈して、次の画像データを表示部３に表示することができる。また、本第２の再生動作では、次の画像データの指示を、撮影日の観点から行うことができ、複数の指示方法から選択することができるため、ユーザーの操作性を向上することができる。
【０１４５】
なお、本第２の再生動作において撮影日を変更する場合、図９の第２の指示解釈用情報の一例では、例えば、現在表示されている画像より撮影日が１日以上前または後で、最も早く撮影されている画像、すなわち、１日以上前または後の撮影日である画像データの内時刻が最も早い画像を、次に表示する画像としている。しかし、次に表示する画像は、本発明を実施するための形態に限定されるものではない。例えば、現在表示されている画像より撮影日が１日以上前または後で、時刻が現在表示されている画像に最も近い画像、すなわち、１日以上前または後の撮影日で、同様の時刻に撮影された画像を、次に表示する画像とすることもできる。
【０１４６】
＜第３の再生動作＞
次に、本第２の実施形態の情報処理装置２０における第３の再生動作について説明する。ここでは、制御部１が各構成要素のパラメータ値およびガイド表示パラメータ値を導出する際に参照される指示解釈用情報として、第３の指示解釈用情報が選択された場合について説明する。なお、第３の再生動作と、第１の再生動作および第２の再生動作との違いは、指示解釈用情報が異なることによる動作の違いのみである。すなわち、情報処理装置２０の再生モードへの設定や、情報処理装置２０の設定や動作を定める押圧とフリックとを合わせた操作に応じて変更されるパラメータが決定される動作は、第１の再生動作および第２の再生動作と同様である。従って、第１の再生動作および第２の再生動作と同様の動作に関する詳細な説明は、省略する。
【０１４７】
なお、以下の説明においては、記録部４に保存されている全ての画像データ内の管理情報に含まれる被写体の認識情報に基づいて、被写体の優先順位がすでに設定されているものとする。被写体の優先順位は、例えば、ユーザーに被写体の認識情報を提示することによって、事前にユーザーが優先順位を決定することができる。また、例えば、記録部４に保存されている全ての画像データに含まれる全ての被写体の認識情報の中で、同一の認識情報が多い順に優先順位を決定することもできる。
【０１４８】
図１１は、本第２の実施形態の情報処理装置２０における第３の指示解釈用情報の一例を示した表である。図１１に示した第３の指示解釈用情報の一例では、押圧力と表示部３に表示するガイド情報が関連付けられ、押圧力とフリック操作の方向と情報処理装置２０の設定や動作が関連付けられている。なお、第３の指示解釈用情報の一例では、被写体の認識情報として、人物の顔の認識情報（以下、「顔認識情報」という）が、情報処理装置２０の再生画像パラメータのパラメータ値として関連付けられているものとする。そして、顔認識情報の優先順位は、Ａさん＞Ｂさん＞Ｃさんであるものとする。
【０１４９】
より具体的には、第３の指示解釈用情報には、図１１に示したように、押圧力の段階に応じたガイド情報が関連付けられている。例えば、「１〜３」段階の押圧力には、「ガイド情報Ｌを表示」が、「４〜６」段階の押圧力には、「ガイド情報Ｍを表示」が、第３の指示解釈用情報によってそれぞれ関連付けられている。
【０１５０】
また、第３の指示解釈用情報には、図１１に示したように、押圧力と同じ段階の押圧力でフリック操作された方向に応じて、情報処理装置２０の設定や動作の内容が、関連付けられている。なお、フリック操作の方向は、１つの方向（角度）のみではなく、ユーザーがフリック操作を行う際のブレを考慮して、予め定めた範囲の角度（図１１に示した第３の指示解釈用情報の一例では、±７５°）を１つの方向として認識するように設定されている。例えば、「１〜３」段階の押圧力で、フリック操作の方向が「１５°〜１６５°（＋９０°方向）」である場合には、ユーザーの指示内容として「撮影日がすでに表示されている画像より後で、Ａさんが写っている最も撮影日が近い画像を表示」が関連付けられている。また、例えば、「４〜６」段階の押圧力で、フリック操作の方向が「１９５°〜３４５°（−９０°方向）」である場合には、情報処理装置２０の設定や動作の内容として「撮影日がすでに表示されている画像より前で、Ｂさんが写っている最も撮影日が近い画像を表示」が関連付けられている。また、例えば、「７〜１０」段階の押圧力で、フリック操作の方向が「１５°〜１６５°（＋９０°方向）」である場合には、情報処理装置２０の設定や動作の内容として「撮影日がすでに表示されている画像より後で、Ｃさんが写っている最も撮影日が近い画像を表示」が関連付けられている。
【０１５１】
制御部１は、入力部２が検出した押圧力の情報に基づいて、第３の指示解釈用情報を参照し、第１の再生動作および第２の再生動作と同様に、パラメータ保持部５に保持しているガイド表示パラメータ値を変更する。これにより、パラメータ保持部５は、第１の再生動作および第２の再生動作と同様に、表示部３に現在設定されているガイド表示パラメータ値を更新（再設定）し、表示部３は、更新されたガイド表示パラメータ値で指定されたガイド情報を、現在表示している画像データに重畳して表示する。
【０１５２】
ここで、本第２の実施形態の情報処理装置２０における第３の再生動作のガイド情報の表示について説明する。図１２は、本第２の実施形態の情報処理装置２０における第３のガイド情報の表示の一例を示した図である。図１２に示したガイド情報の表示の一例では、図１１に示した第３の指示解釈用情報の一例におけるガイド表示パラメータ値に対応した、すなわち、押圧力の各段階に対応して記録部４に保存されているガイド表示データによるガイド情報の表示例を示している。なお、図１２に示したガイド情報の表示の一例には、ユーザーが押下している位置に、ユーザーによる押下の強さ、すなわち、「押下力」を、円の大きさで模式的に示している。
【０１５３】
図１２（ａ）は押圧力が「１〜３」段階である場合、図１２（ｂ）は押圧力が「４〜６」段階である場合、図１２（ｃ）は押圧力が「７〜１０」段階である場合にそれぞれ表示される、すなわち、ユーザーに通知するガイド情報の一例を示している。図１２（ａ）〜（ｃ）に示したガイド情報の表示によって、ユーザーは、情報処理装置２０に表示する画像を、現在表示されている画像の前後に撮影された同じ顔認識情報を含んでいる画像に変更できることを、事前に把握することができる。
【０１５４】
より具体的には、図１２（ａ）〜（ｃ）に示したガイド情報の表示の一例における左上の「顔画像」表示によって、表示する画像を、同じ顔認識情報を含んでいる画像に変更できることを把握し、ユーザーが押下している位置に表示される左右方向の「矢印」の表示によって、フリック操作の方向によって、表示部３に現在表示されている画像よりも前または後に撮影された画像で、同じ顔認識情報を含んでいる画像に変更できることを把握することができる。
【０１５５】
制御部１は、記録部４に保存されている押圧力の情報および押下位置の情報を、さらに取得し、取得した押圧力の情報および押下位置の情報に基づいて、ユーザーによってフリック操作が行われたか否かを判断する。なお、フリック操作が行われたか否かの判断方法、およびフリック操作の方向の判断方法は、第１の実施形態の撮像装置１０に備えた制御部１における判断方法、第１の再生動作、および第２の再生動作と同様であるため、詳細な説明は省略する。また、フリック操作が行われていないと判断された場合の動作も、第１の実施形態の撮像装置１０に備えた制御部１における判断方法、第１の再生動作、および第２の再生動作と同様であるため、詳細な説明は省略する。
【０１５６】
フリック操作が行われたと判断された場合、制御部１は、押圧力とフリック操作の方向とから、第３の指示解釈用情報を参照して、第１の再生動作および第２の再生動作と同様に、情報処理装置２０を変更指示の内容に応じた設定や動作にするパラメータ値を導出し、パラメータ保持部５に保持している対応するパラメータ値を変更する。これにより、パラメータ保持部５は、第１の再生動作および第２の再生動作と同様に、情報処理装置２０内の各構成要素に現在設定されているパラメータ値を更新（再設定）し、情報処理装置２０内の設定や動作の変更を完了する。
【０１５７】
ここで、本第２の実施形態の情報処理装置２０においてフリック操作が行われた場合の第３の再生動作の具体例について説明する。情報処理装置２０において、押圧力が１〜３で、＋９０°の方向にフリック操作が行われた場合、制御部１は、ユーザーによって「撮影日がすでに表示されている画像より後で、Ａさんが写っている最も撮影日が近い画像を表示」する変更指示がされたと解釈する。そして、制御部１は、この変更指示の内容に応じて、記録部４に保存された画像データ内の管理情報に含まれる被写体の認識情報（本第３の再生動作では、顔認識情報）と撮影日時とを参照し、表示部３に現在表示している画像データより後の撮影日時の画像データで、同じ顔認識情報（本第３の再生動作では、Ａさん）を含んでいる画像データの内、最も撮影日時が近い画像データを、次に表示部３に表示する画像データとした再生画像パラメータの値を導出し、パラメータ保持部５に保持している再生画像パラメータのパラメータ値を、導出した再生画像パラメータの値に変更する。これにより、パラメータ保持部５は、表示部３に現在設定されている情報処理装置２０が表示（再生）する画像データを指定するパラメータ値を、変更された再生画像パラメータの値に更新（再設定）する。このような動作によって、情報処理装置２０に現在表示されている画像より後に撮影された画像で、「Ａさん」が写っている最も撮影日時が近い画像が、表示部３に表示される。
【０１５８】
同様に、情報処理装置２０において、押圧力が４〜６で、−９０°の方向にフリック操作が行われた場合には、現在表示されている画像より前に撮影された画像で、「Ｂさん」が写っている最も撮影日時が近い画像が表示部３に表示され、押圧力が７〜１０で、＋９０°の方向にフリック操作が行われた場合には、現在表示されている画像より後に撮影された画像で、「Ｃさん」が写っている最も撮影日時が近い画像が表示部３に表示される。
【０１５９】
上記に述べたとおり、本第３の再生動作では、第３の指示解釈用情報を参照し、ユーザーが入力部２に対して行った押圧とフリック操作とに基づいて、ユーザーからの表示部３に表示する画像についての変更指示の内容を解釈して、次の画像データを表示部３に表示することができる。また、本第３の再生動作では、次の画像データの指示を、被写体の認識情報の観点から行うことができ、複数の指示方法から選択することができるため、ユーザーの操作性を向上することができる。
【０１６０】
なお、本第３の再生動作において撮影日を変更する場合、図１１の第３の指示解釈用情報の一例では、例えば、撮影日がすでに表示されている画像より前または後で、Ａさんが写っている最も撮影日が近い画像、すなわち、Ａさんが写っている前または後の画像を、次に表示する画像としている。しかし、次に表示する画像は、本発明を実施するための形態に限定されるものではない。例えば、撮影日がすでに表示されている画像より１日以上前または後の撮影日で、Ａさんが写っている画像を、次に表示する画像とすることもできる。
【０１６１】
＜指示解釈用情報の切り替え方法＞
次に、本第２の実施形態の情報処理装置２０における指示解釈用情報の切り替え方法について説明する。上記に述べたように、本第２の実施形態の情報処理装置２０では、第１〜第３の指示解釈用情報のいずれか１つの指示解釈用情報を参照することによって、ユーザーからの情報処理装置２０の設定や動作についての変更指示の内容を解釈する。そのため、情報処理装置２０は、第１〜第３の指示解釈用情報の内、いずれの指示解釈用情報を選択するための構成、すなわち、指示解釈用情報を、第１〜第３の指示解釈用情報いずれか１つの指示解釈用情報に切り替える構成を備えている。
【０１６２】
本第２の実施形態の情報処理装置２０において、指示解釈用情報を切り替える構成は、  例えば、入力部２に、指示解釈用情報を切り替えるための専用のスイッチを備え、このスイッチを押下する毎に、指示解釈用情報が切り替かわる構成が考えられる。この構成の場合、制御部１は、入力部２からユーザーによってスイッチが押下されたことを表す通知を受ける毎に、ユーザーによって「指示解釈用情報を切り替える」指示がされたと解釈する。そして、制御部１は、指示解釈用情報を切り替える指示がされたと解釈する毎に、参照する指示解釈用情報を、例えば、第１の指示解釈用情報→第２の指示解釈用情報→第３の指示解釈用情報→第１の指示解釈用情報というように、順次切り替える。
【０１６３】
なお、情報処理装置２０における指示解釈用情報を切り替えるための構成や方法は、上述したスイッチを用いた方法に限定されるものではなく、例えば、ユーザーが入力部２を指で叩くタップ操作によって、情報処理装置２０の設定や動作を変更する際に参照される指示解釈用情報の選択を、順次切り替える方法を適用することもできる。
【０１６４】
また、情報処理装置２０における指示解釈用情報を、例えば、スイッチやタップ操作によって、指示解釈用情報の単位で切り替える方法に限定されるものではなく、例えば、押圧力によって指示解釈用情報を切り替える構成とすることもできる。すなわち、情報処理装置２０では、次に表示する画像の選択を、枚数、年月日、顔認識情報のいずれか１つの条件で指示する場合の指示解釈用情報の切り替え方法として、押圧力を使用することができる。
【０１６５】
ここで、本第２の実施形態の情報処理装置２０において、押圧力によって指示解釈用情報を切り替える場合の一例について説明する。図１３は、本第２の実施形態の情報処理装置２０における別の指示解釈用情報の一例を示した表である。図１３に示した指示解釈用情報の一例では、第１〜第３の指示解釈用情報を押圧力によって切り替える場合と同様の指示解釈用情報を示している。すなわち、図１３に示した指示解釈用情報の一例では、押圧力と表示部３に表示するガイド情報が関連付けられ、押圧力とフリック操作の方向と情報処理装置２０の設定や動作が関連付けられている。
【０１６６】
より具体的には、図１３に示した指示解釈用情報には、「１〜３」段階の押圧力に、「ガイド情報Ｏを表示」が関連付けられている。また、「４〜６」段階の押圧力に、「ガイド情報Ｐを表示」が関連付けられている。また、「７〜１０」段階の押圧力に、「ガイド情報Ｑを表示」が関連付けられている。
【０１６７】
また、図１３に示した指示解釈用情報には、押圧力と同じ段階の押圧力でフリック操作された方向に応じて、情報処理装置２０の設定や動作の内容が、それぞれ関連付けられている。なお、フリック操作の方向は、１つの方向（角度）のみではなく、ユーザーがフリック操作を行う際のブレを考慮して、予め定めた範囲の角度（図１３に示した指示解釈用情報の一例では、±２２．５°）を１つの方向として認識するように設定されている。例えば、「１〜３」段階の押圧力で、フリック操作の方向が「２２．５°〜６７．５°（４５°方向）」である場合には、情報処理装置２０の設定や動作の内容として「ファイル番号が１大きい画像を表示」が関連付けられている。また、例えば、「４〜６」段階の押圧力で、フリック操作の方向が「６７．５°〜１１２．５°（９０°方向）」である場合には、情報処理装置２０の設定や動作の内容として「すでに表示されている画像より、撮影日が１ヶ月以上後で、最も早く撮影された画像を表示」が関連付けられている。また、例えば、「７〜１０」段階の押圧力で、フリック操作の方向が「１１２．５°〜１５７．５°（１３５°方向）」である場合には、情報処理装置２０の設定や動作の内容として「撮影日がすでに表示されている画像より後で、Ｃさんが写っている最も撮影日が近い画像を表示」が関連付けられている。
【０１６８】
図１４は、本第２の実施形態の情報処理装置２０におけるガイド情報の表示の別の一例を示した図である。図１４に示したガイド情報の表示の一例では、図１３に示した指示解釈用情報の一例におけるガイド表示パラメータ値に対応した、すなわち、次に表示する画像を、枚数、年月日、顔認識情報のいずれか１つの条件で指示するためのガイド表示データによるガイド情報の表示例を示している。つまり、図１４に示したガイド情報の表示の一例では、第１〜第３の指示解釈用情報を押圧力によって切り替える場合と同様のガイド情報の表示例を示している。なお、図１４に示したガイド情報の表示の一例には、ユーザーが押下している位置に、ユーザーによる押下の強さ、すなわち、「押下力」を、円の大きさで模式的に示している。
【０１６９】
図１４（ａ）は、押圧力が「１〜３」段階である場合に表示される、次に表示する画像を枚数で選択するためのガイド情報の一例を示している。図１４（ａ）に示したガイド情報の表示によって、ユーザーは、情報処理装置２０に表示する画像を、枚数の単位で変更できることを、事前に把握することができる。そして、ユーザーは、いずれの方向にフリック操作を行うと、現在表示されている画像の何枚分前後した画像に変更できるかを、事前に把握することができる。
【０１７０】
より具体的には、図１４（ａ）に示したガイド情報の表示の一例において、ユーザーが押下している位置に表示される放射状の「矢印」と「数字」との表示によって、表示部３に表示する画像を、画像の枚数の単位で変更できることを把握することができる。
【０１７１】
図１４（ｂ）は、押圧力が「４〜６」段階である場合に表示される、次に表示する画像を年月日で選択するためのガイド情報の一例を示している。図１４（ｂ）に示したガイド情報の表示によって、ユーザーは、次に情報処理装置２０に表示する画像を、撮影日、撮影月、または撮影年の単位で変更できることを、事前に把握することができる。そして、ユーザーは、いずれの方向にフリック操作を行うと、現在表示されている画像の撮影日からどれくらいの期間前後した画像に変更できるかを、事前に把握することができる。
【０１７２】
より具体的には、図１４（ｂ）に示したガイド情報の表示の一例において、ユーザーが押下している位置に表示される放射状の「矢印」と「コメント」との表示によって、表示部３に表示する画像を、撮影日、撮影月、または撮影年の単位で変更できることを把握することができる。
【０１７３】
図１４（ｃ）は、押圧力が「７〜１０」段階である場合に表示される、次に表示する画像を顔認識情報で選択するためのガイド情報の一例を示している。図１４（ｃ）に示したガイド情報の表示によって、ユーザーは、次に情報処理装置２０に表示する画像を、顔認識情報で変更できることを、事前に把握することができる。そして、ユーザーは、いずれの方向にフリック操作を行うと、現在表示されている画像の前後に撮影された、いずれの顔認識情報を含んでいる画像に変更できるかを、事前に把握することができる。
【０１７４】
より具体的には、図１４（ｃ）に示したガイド情報の表示の一例において、ユーザーが押下している位置に表示される放射状の「矢印」と「顔画像」との表示によって、表示部３に表示する画像を、選択した顔認識情報と同じ顔認識情報を含んでいる画像に変更できることを把握することができる。
【０１７５】
上記に述べたとおり、本第２の実施形態の情報処理装置２０では、第１〜第３の指示解釈用情報を参照し、ユーザーが入力部２に対して押圧とフリック操作とを行った際の押圧力とフリック操作の方向とに基づいて、ユーザーからの情報処理装置２０の設定や動作についての変更指示の内容を解釈する。これにより、ユーザーは、情報処理装置２０の多種多様なパラメータの設定を、直感的な操作で、すばやく行うことができる。
【０１７６】
なお、本第２の実施形態の情報処理装置２０では、次に表示する画像の選択を、枚数、年月日、顔認識情報のいずれか１つの条件で指示する場合について説明した。しかし、ユーザーが変更を指示するパラメータの種類や数は、本発明を実施するための形態に限定されるものではない。
【０１７７】
また、本第２の実施形態の情報処理装置２０では、入力部２が検出したユーザーによる操作の情報を記録部４に保存し、制御部１が、記録部４に保存されている情報に基づいて、ユーザーからの情報処理装置２０の設定や動作についての変更指示の内容を解釈する場合について説明した。しかし、ユーザーからの情報処理装置２０の設定や動作の変更指示の内容を解釈する方法は、本発明を実施するための形態に限定されるものではない。例えば、入力部２が検出したユーザーによる操作の情報を、逐次制御部１に通知し、制御部１が、通知された情報に基づいて、ユーザーからの情報処理装置２０の設定や動作の変更指示の内容を解釈する構成とすることもできる。
【０１７８】
また、本第２の実施形態の情報処理装置２０では、入力部２が押下位置と押圧力とを検出し、制御部１が、検出された押下位置と押圧力とに基づいて、ユーザーによるフリック操作やその方向を判断する場合について説明した。しかし、フリック操作やフリック操作が行われた方向の判断は、本発明を実施するための形態に限定されるものではない。例えば、入力部２が、フリック操作が行われたか否かの判断と、フリック操作が行われた場合におけるフリック操作の方向の判断とを行う構成とすることもできる。この場合には、制御部１は、入力部２が検出したフリック操作やフリック操作が行われた方向に基づいて、以降の処理を行うこととなる。
【０１７９】
＜第３の実施形態＞
次に、本発明の第３の実施形態について説明する。本第３の実施形態の情報処理装置は、動画像を再生する装置である。本第３の実施形態の情報処理装置と、第２の実施形態の情報処理装置２０との違いは、表示（再生）する画像データが、静止画の画像データから動画の画像データに変わっていることのみである。従って、本第３の実施形態の情報処理装置の構成は、図６に示した第２の実施形態の情報処理装置２０を同様の構成である。本第３の実施形態の情報処理装置の説明においては、図６に示した第２の実施形態の情報処理装置２０が動画の画像データを表示（再生）するものとして説明を行い、第２の実施形態の情報処理装置２０の構成要素と同一の符号を用いて説明する。なお、第２の実施形態の情報処理装置２０の構成要素と同様の動作を行う、本第３の実施形態の情報処理装置の構成要素の動作に関しては、詳細な説明を省略する。
【０１８０】
上記に述べたように、本第３の実施形態の情報処理装置の構成要素は、第２の実施形態の情報処理装置２０の構成要素と同様である。つまり、本第３の実施形態の情報処理装置の各構成要素も、第１の実施形態の撮像装置１０に備えた構成要素と同様の構成要素を含んでいる。従って、以下に説明する本第３の実施形態の情報処理装置２０の各構成要素の機能や動作を、第１の実施形態の撮像装置１０に備えた対応する構成要素で実現することによって、本第３の実施形態の情報処理装置２０と同様の機能や動作を、第１の実施形態の撮像装置１０でも実現することができる。
【０１８１】
本第３の実施形態の情報処理装置２０では、パラメータ保持部５は、情報処理装置２０の動画再生動作に関するパラメータ値を保持している。より具体的には、パラメータ保持部５は、表示部３に表示（再生）させる動画の画像データ（以下、「動画像データ」という）のフレームを指定する再生フレームパラメータ値と、表示部３に表示する、情報処理装置２０の設定や動作の内容を事前にユーザーに通知するためのガイド情報を指定するガイド表示パラメータ値とを保持している。
【０１８２】
本第３の実施形態の情報処理装置２０でも同様に、制御部１は、情報処理装置２０内の各構成要素の制御を行う。また、制御部１は、入力部２が検出した押下位置および押圧力に基づいて、後述する指示解釈用情報が参照して、ユーザーからの情報処理装置２０の設定や動作についての変更指示の内容を解釈し、情報処理装置２０を変更指示の内容に応じた設定や動作に定める各構成要素のパラメータ値を導出する。また、ガイド表示パラメータの値を導出する。
【０１８３】
また、制御部１は、動画像データ内の特定のフレームの位置を、記録部４に保存されている動画像データの全体から特定する。このフレームの位置を特定する機能（フレーム特定機能）は、一般的な既存の動画再生用アプリケーションが有している機能と同様である。
【０１８４】
本第３の実施形態の情報処理装置２０でも同様に、記録部４は、制御部１からの制御に基づいて、情報処理装置２０内の各構成要素による処理で使用されるデータを保存する。ただし、本第３の実施形態の情報処理装置２０では、記録部４は、第２の実施形態において保持していた画像データの代わりに、表示部３に表示（再生）する動画像データを保存する。
【０１８５】
本第３の実施形態の情報処理装置２０では、表示部３は、制御部１からの制御に基づいて、再生フレームパラメータで指定された動画像データを表示する。また、本第３の実施形態の情報処理装置２０でも同様に、表示部３は、制御部１からの制御に基づいて、表示している動画像データに、例えば、ＯＳＤ（Ｏｎ−Ｓｃｒｅｅｎ  Ｄｉｓｐｌａｙ）表示によって、ガイド表示パラメータで指定されたガイド表示データを重畳する。
【０１８６】
本第３の実施形態の情報処理装置２０でも、入力部２（タッチパネル）と表示部３（液晶）とが一体に構成されているものとする。従って、ユーザーは、表示部３を押下することによって変わる表示の内容に基づいて、情報処理装置２０の設定や動作を変更することができる。
【０１８７】
次に、本第３の実施形態の情報処理装置２０における動画の再生動作について説明する。ここでは、情報処理装置２０の動画の再生動作として、情報処理装置２０が動画像を再生する動画再生モードであるときに、ユーザーが、入力部２に対して押圧とフリックとを合わせた操作を行い、情報処理装置２０が再生する動画像のフレームを変更する場合について説明する。なお、以下の説明においては、記録部４には、すでに動画像データが保存されているものとする。
【０１８８】
まず、本第３の実施形態の情報処理装置２０に電源が投入されると、制御部１は、パラメータ保持部５のパラメータ値を、情報処理装置２０が動画再生モードになる値にする。これにより、パラメータ保持部５は、各構成要素のパラメータ値を動画再生モードにおける初期値に更新（設定）する。この動作によって、情報処理装置２０は動画再生モードになり、以降のユーザーによって行われる押圧とフリックとを合わせた操作に応じて変更されるパラメータが決定される。動画再生モードでは、再生フレームパラメータが操作に応じて変更されるパラメータである。以下の説明においては、再生フレームパラメータが操作に応じて変更されるパラメータである場合について説明する。再生フレームパラメータは、表示部３に表示（再生）する動画像データの保存場所（記録部４の記録領域）を表すパラメータである。
【０１８９】
また、決定された操作に応じて変更される再生フレームパラメータに応じて、制御部１がパラメータの値を導出する場合に参照する指示解釈用情報が決定される。指示解釈用情報は、ユーザーからの情報処理装置２０の設定や動作についての変更指示の内容を解釈するための情報であり、より具体的には、押圧力と表示部３に表示するガイド情報、および押圧力とフリック操作の方向と情報処理装置２０の設定や動作とを関連付けた情報である。
【０１９０】
ここで、本第３の実施形態の情報処理装置２０における動画の再生動作の指示解釈用情報について説明する。図１５は、本第３の実施形態の情報処理装置２０における指示解釈用情報の一例を示した表である。図１５に示した指示解釈用情報の一例では、押圧力と表示部３に表示するガイド情報が関連付けられ、押圧力とフリック操作の方向と情報処理装置２０の設定や動作とが関連付けられている。
【０１９１】
より具体的には、本第３の実施形態の情報処理装置２０でも、入力部２が１０段階の分解能で押圧力を検出する。そして、指示解釈用情報には、図１５に示したように、押圧力の段階に応じたガイド情報が関連付けられている。例えば、「１〜３」段階の押圧力には、「ガイド情報Ｒを表示」が、「４〜６」段階の押圧力には、「ガイド情報Ｓを表示」が、指示解釈用情報によってそれぞれ関連付けられている。
【０１９２】
また、指示解釈用情報には、図１５に示したように、押圧力と同じ段階の押圧力でフリック操作された方向に応じて、情報処理装置２０の設定や動作の内容が、関連付けられている。なお、フリック操作の方向は、１つの方向（角度）のみではなく、ユーザーがフリック操作を行う際のブレを考慮して、予め定めた範囲の角度（図１５に示した指示解釈用情報の一例では、±７５°）を１つの方向として認識するように設定されている。例えば、「１〜３」段階の押圧力で、フリック操作の方向が「１５°〜１６５°（＋９０°方向）」である場合には、情報処理装置２０の設定や動作の内容として「１秒後のフレームを表示」が関連付けられている。また、例えば、「４〜６」段階の押圧力で、フリック操作の方向が「１９５°〜３４５°（−９０°方向）」である場合には、情報処理装置２０の設定や動作の内容として「１分前のフレームを表示」が関連付けられている。また、例えば、「７〜１０」段階の押圧力で、フリック操作の方向が「１５°〜１６５°（＋９０°方向）」である場合には、情報処理装置２０の設定や動作の内容として「１時間後のフレームを表示」が関連付けられている。
【０１９３】
その後、制御部１は、入力部２からユーザーによる操作が開始されたことを表す通知を受けると、記録部４に保存されている押圧力の情報を取得する。そして、制御部１は、決定された指示解釈用情報を参照して、取得した押圧力に応じて表示部３に表示するガイド情報を把握し、そのガイド情報を表示部３に表示するガイド情報として指定するガイド表示パラメータの値（ガイド表示パラメータ値）を導出する。そして、制御部１は、パラメータ保持部５に保持しているガイド表示パラメータ値を、導出したガイド表示パラメータ値に変更する。これにより、パラメータ保持部５は、表示部３に現在設定されているガイド表示パラメータ値を、変更されたガイド表示パラメータ値に更新（再設定）する。そして、表示部３は、更新されたガイド表示パラメータ値で指定されたガイド情報を、現在表示している動画像データに重畳して表示する。
【０１９４】
ガイド情報は、上記に述べたように、本第３の実施形態の情報処理装置２０の設定や動作の内容を事前にユーザーに通知するための情報である。ガイド情報は、現在の押圧力でフリック操作を行うと、フリック操作の方向によって情報処理装置２０の設定や動作がどのように変更されるかを、ユーザーに提示する。
【０１９５】
ここで、本第３の実施形態の情報処理装置２０における動画の再生動作のガイド情報の表示について説明する。図１６は、本第３の実施形態の情報処理装置２０におけるガイド情報の表示の一例を示した図である。図１６に示したガイド情報の表示の一例では、図１５に示した指示解釈用情報の一例におけるガイド表示パラメータ値に対応した、すなわち、押圧力の各段階に対応して記録部４に保存されているガイド表示データによるガイド情報の表示例を示している。なお、図１６に示したガイド情報の表示の一例には、ユーザーが押下している位置に、ユーザーによる押下の強さ、すなわち、「押下力」を、円の大きさで模式的に示している。
【０１９６】
図１６（ａ）は、押圧力が「１〜３」段階である場合に表示される、すなわち、ユーザーに通知するガイド情報の一例を示している。図１６（ａ）に示したガイド情報の表示によって、ユーザーは、情報処理装置２０に表示する動画像のフレームを、表示部３に現在表示されているフレームの１秒後のフレームまたは１秒前のフレームに変更できることを、事前に把握することができる。
【０１９７】
より具体的には、図１６（ａ）に示したガイド情報の表示の一例における右上の時間の表示の内、「秒」に対応する部分を強調した表示にすることによって、表示（再生）する動画像のフレームを撮影時刻（秒）の単位で変更できることを把握し、ユーザーが押下している位置に表示される左右方向の「矢印」と「コメント」の表示によって、フリック操作の方向によって、異なる撮影時刻（秒）の動画像に変更できることを把握することができる。
【０１９８】
図１６（ｂ）は、押圧力が「４〜６」段階である場合に表示される、すなわち、ユーザーに通知するガイド情報の一例を示している。図１６（ｂ）に示したガイド情報の表示によって、ユーザーは、情報処理装置２０に表示する動画像のフレームを、表示部３に現在表示されているフレームの１分後のフレームまたは１分前のフレームに変更できることを、事前に把握することができる。
【０１９９】
より具体的には、図１６（ｂ）に示したガイド情報の表示の一例における右上の時間の表示の内、「分」に対応する部分を強調した表示にすることによって、表示（再生）する動画像のフレームを撮影時刻（分）の単位で変更できることを把握し、ユーザーが押下している位置に表示される左右方向の「矢印」と「コメント」の表示によって、フリック操作の方向によって、異なる撮影時刻（分）の動画像に変更できることを把握することができる。
【０２００】
図１６（ｃ）は、押圧力が「７〜１０」段階である場合に表示される、すなわち、ユーザーに通知するガイド情報の一例を示している。図１６（ｃ）に示したガイド情報の表示によって、ユーザーは、情報処理装置２０に表示する動画像のフレームを、表示部３に現在表示されているフレームの１時間後のフレームまたは１時間前のフレームに変更できることを、事前に把握することができる。
【０２０１】
より具体的には、図１６（ｃ）に示したガイド情報の表示の一例における右上の時間の表示の内、「時」に対応する部分を強調した表示にすることによって、表示（再生）する動画像のフレームを撮影時刻（時）の単位で変更できることを把握し、ユーザーが押下している位置に表示される左右方向の「矢印」と「コメント」の表示によって、フリック操作の方向によって、異なる撮影時刻（時）の動画像に変更できることを把握することができる。
【０２０２】
その後、制御部１は、記録部４に保存されている押圧力の情報および押下位置の情報を、さらに取得する。そして、制御部１は、取得した押圧力の情報および押下位置の情報に基づいて、ユーザーによってフリック操作が行われたか否かを判断する。なお、フリック操作が行われたか否かの判断方法、およびフリック操作の方向の判断方法は、第１の実施形態の撮像装置１０に備えた制御部１および第２の実施形態の情報処理装置２０に備えた制御部１における判断方法と同様であるため、詳細な説明は省略する。
【０２０３】
上述したフリック操作が行われたか否かの判断において、フリック操作が行われたと判断された場合、制御部１は、押圧力とフリック操作の方向とから、指示解釈用情報を参照して、情報処理装置２０の設定や動作の変更指示の内容を把握する。そして、制御部１は、把握した内容に基づいて、情報処理装置２０を変更指示の内容に応じた設定や動作にするパラメータ値を導出する。そして、制御部１は、パラメータ保持部５に保持している対応するパラメータ値を、導出したパラメータ値に変更する。これにより、パラメータ保持部５は、情報処理装置２０内の各構成要素に現在設定されているパラメータ値を、変更されたパラメータ値に更新（再設定）する。上記に述べたような動作によって、本第３の実施形態の情報処理装置２０の設定や動作の変更を完了する。
【０２０４】
また、上述したフリック操作が行われたか否かの判断において、フリック操作が行われていないと判断された場合には、制御部１は、押圧力の情報および押下位置の情報の取得と、指示解釈用情報からのガイド表示パラメータ値の導出およびパラメータ保持部５に保持しているパラメータ値の変更とを繰り返す。
【０２０５】
ここで、本第３の実施形態の情報処理装置２０においてフリック操作が行われた場合の動画の再生動作の具体例について説明する。情報処理装置２０において、押圧力が１〜３で、＋９０°の方向にフリック操作が行われた場合、制御部１は、ユーザーによって「１秒後のフレームを表示」する変更指示がされたと解釈する。そして、制御部１は、この変更指示の内容に応じて、表示部３に現在表示している動画像データのフレームよりも１秒後のフレームを、次に表示部３に表示する動画像データのフレームとした再生フレームパラメータの値を導出し、パラメータ保持部５に保持している再生フレームパラメータのパラメータ値を、導出した再生フレームパラメータの値に変更する。これにより、パラメータ保持部５は、表示部３に現在設定されている情報処理装置２０が表示（再生）する動画像データのフレームを指定するパラメータ値を、変更された再生フレームパラメータの値に更新（再設定）する。このような動作によって、情報処理装置２０に現在表示されているフレームの１秒後のフレームが、表示部３に表示される。
【０２０６】
同様に、情報処理装置２０において、押圧力が４〜６で、−９０°の方向にフリック操作が行われた場合には、現在表示されているフレームの１分前のフレームが表示部３に表示され、押圧力が７〜１０で、＋９０°の方向にフリック操作が行われた場合には、現在表示されているフレームの１時間後のフレームが、表示部３に表示される。
【０２０７】
なお、本第３の実施形態の情報処理装置２０の制御部１による再生フレームパラメータの値の導出においては、記録部４に保存されている動画像データの記録時間（動画の長さ）と、フレーム特定機能とを用いて、再生フレームパラメータの値の導出を行う。より具体的には、まず、制御部１は、ユーザーが入力部２に対して押下操作を行ったときに表示部３に表示している動画像データのフレームの位置を特定する。そして、制御部１は、ユーザーのフリック操作によって変更指示された時間において、特定したフレームの位置と同じ位置のフレームを、再生フレームパラメータの値として導出する。例えば、特定したフレームの位置が２５フレーム目の位置であり、フリック操作によって「１分後のフレームを表示」する指示がされた場合には、１分後の２５フレーム目の位置のフレームを、再生フレームパラメータの値として導出する。
【０２０８】
上記に述べたとおり、本第３の実施形態の情報処理装置２０では、指示解釈用情報を参照し、ユーザーが入力部２に対して押圧とフリック操作とを行った際の押圧力とフリック操作の方向とに基づいて、ユーザーからの情報処理装置２０の設定や動作についての変更指示の内容を解釈する。これにより、ユーザーは、情報処理装置２０の多種多様なパラメータの設定を、直感的な操作で、すばやく行うことができる。また、本第３の実施形態の情報処理装置２０では、次に表示する動画像のフレームの変更指示を、記録時間の観点から行うことができ、複数の指示方法から選択することができるため、ユーザーの操作性を向上することができる。
【０２０９】
なお、本第３の実施形態の情報処理装置２０では、次に表示する動画像データの選択を、時間で指示する場合について説明した。しかし、ユーザーが変更を指示するパラメータの種類や数は、本発明を実施するための形態に限定されるものではない。例えば、動画像データ内に含まれる被写体認識情報に基づいて、次に表示する動画像データの選択を行う構成とすることもできる。
【０２１０】
また、本第３の実施形態の情報処理装置２０では、入力部２が検出したユーザーによる操作の情報を記録部４に保存し、制御部１が、記録部４に保存されている情報に基づいて、ユーザーからの情報処理装置２０の設定や動作についての変更指示の内容を解釈する場合について説明した。しかし、ユーザーからの情報処理装置２０の設定や動作の変更指示の内容を解釈する方法は、本発明を実施するための形態に限定されるものではない。例えば、入力部２が検出したユーザーによる操作の情報を、逐次制御部１に通知し、制御部１が、通知された情報に基づいて、ユーザーからの情報処理装置２０の設定や動作についての変更指示の内容を解釈する構成とすることもできる。
【０２１１】
また、本第３の実施形態の情報処理装置２０では、入力部２が押下位置と押圧力とを検出し、制御部１が、検出された押下位置と押圧力とに基づいて、ユーザーによるフリック操作やその方向を判断する場合について説明した。しかし、フリック操作やフリック操作が行われた方向の判断は、本発明を実施するための形態に限定されるものではない。例えば、入力部２が、フリック操作が行われたか否かの判断と、フリック操作が行われた場合におけるフリック操作の方向の判断とを行う構成とすることもできる。この場合には、制御部１は、入力部２が検出したフリック操作やフリック操作が行われた方向に基づいて、以降の処理を行うこととなる。
【０２１２】
上記に述べたとおり、本発明を実施するための形態によれば、パラメータ値を導出する場合や、ガイド表示データの保存場所を特定する場合に参照する指示解釈用情報を事前に登録しておく。そして、ユーザーが入力部に対して押圧を行った際の押圧力に基づいて、ガイド情報を表示する。これにより、ユーザーはこれから入力部に対して行うフリック操作によって、どのような設定や動作が行われるかを、事前に把握することができる。そして、ユーザーは、どのような設定や動作が行われるかを事前に把握した上で、設定や動作を指示する、すなわち、フリック操作を行うことができる。
【０２１３】
また、本発明を実施するための形態によれば、ユーザーが入力部に対して押圧とフリック操作とを行った際の押圧力とフリック操作の方向とに基づいて、ユーザーからの設定や動作についての変更指示の内容を解釈する。そして、指示解釈用情報を参照して、ユーザーからの設定や動作の変更指示の内容に応じたパラメータ値を導出し、対応するパラメータ値を、導出したパラメータ値に更新（再設定）することによって、ユーザーからの設定や動作についての変更指示を実現する。これにより、本発明を実施するための形態では、１回の押圧操作で多階層の選択肢の中から所望の項目を選択する場合において、項目の選択を完了するまでに要する時間を短くする、すなわち、直感的な操作で、すばやくパラメータの設定を行うことができる。
【０２１４】
また、本実施形態においては、指示解釈用情報によって、ユーザーが指示する設定や動作を指示解釈用情報に登録された範囲のパラメータにしている。これにより、ユーザーによる項目の選択操作に要する時間を短くすることができ、ユーザーの操作性を向上することができる。
【０２１５】
なお、本実施形態においては、指示解釈用情報に含まれる、ユーザーからの設定や動作についての変更指示の内容に応じた様々なパラメータの一例（例えば、ＩＳＯ感度、Ｆ値、露光補正や、ファイル番号など）を示して説明したが、指示解釈用情報に含まれるパラメータは、本発明を実施するための形態に限定されるものではない。すなわち、本発明を適用した装置において、ユーザーがパラメータ値を更新（再設定）することができるパラメータであれば、どのようなパラメータでも指示解釈用情報に登録することができ、ユーザーからの設定や動作についての変更指示の内容に応じたパラメータ値に更新（再設定）を行うことができる。
【０２１６】
なお、１つの指示解釈用情報に登録するパラメータの種類や数、すなわち、１回の押圧操作でユーザーが変更する対象のパラメータの種類や数は、本発明を適用した装置毎に、予め決めておく構成とすることもできるが、ユーザーによって変更可能な構成とすることもできる。
【０２１７】
なお、本実施形態においては、入力部２（タッチパネル）と表示部３（液晶）とが一体に構成されている場合について説明した。この構成によって、第１の実施形態の撮像装置１０や、第２および第３の実施形態の情報処理装置２０を小型化することができる。しかし、入力部２と表示部３との構成は、本発明を実施するための形態に限定されるものではない。例えば、入力部２（タッチパッド）と表示部３（液晶）とが分離して構成することもできる。この構成によって、表示部３に表示している画像データが、ユーザーの手や指で影にならない位置に入力部２を配置することによって、ユーザーの利便性を高めることができる。
【０２１８】
また、本実施形態においては、例えば、情報処理装置２０が画像データを表示する場合について説明したが、本発明を適用することができる装置は、本発明を実施するための形態に限定されるものではない。例えば、画像データを表示する機能は持っていないが、テキストを編集する機能を有している装置のフォントに関するパラメータの変更に、本発明を適用することもできる。この場合には、例えば、押圧によって、「ひらがな」、「カタガナ」、「英数」などの文字の種類を選択し、フリック操作の方向によって、「半角（右方向のフリック操作）」、「全角（左方向のフリック操作）」を切り替えることができる。
【０２１９】
また、例えば、情報処理装置２０が音声ファイルを操作する機能を有している装置の音量に関するパラメータの変更に、本発明を適用することもできる。この場合には、例えば、押圧によって、「音量」や、「高音域」、「低音域」、「バランス」などを選択し、フリック操作の方向によって、再生する音量や音質などに関する操作を切り替えることができる。
【０２２０】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０２２１】
１０・・・撮像装置
２０・・・情報処理装置
１・・・制御部
２・・・入力部
３・・・表示部
４・・・記録部
５・・・パラメータ保持部（制御部）
６・・・画像処理部
７・・・撮像部
８・・・被写体認識部
【図１】
2013120421.tif 000003
【図２】
2013120421.tif 000004
【図３】
2013120421.tif 000005
【図４】
2013120421.tif 000006
【図５】
2013120421.tif 000007
【図６】
2013120421.tif 000008
【図７】
2013120421.tif 000009
【図８】
2013120421.tif 000010
【図９】
2013120421.tif 000011
【図１０】
2013120421.tif 000012
【図１１】
2013120421.tif 000013
【図１２】
2013120421.tif 000014
【図１３】
2013120421.tif 000015
【図１４】
2013120421.tif 000016
【図１５】
2013120421.tif 000017
【図１６】
2013120421.tif 000018